(57)【要約】  胴体部（２０６ａ）を有するロックタンブラー（２０５）を備えた円筒状キープラグ（２０３）と、関連する鍵（１００）と係合するための一体型キー検知部（２０６ｂ）とを含む種類の複数の錠を含むロック・キーシステムが開示されている。ロックタンブラーそれぞれのキー検知部（２０６ｂ）は、それぞれがキープラグ軸に沿って長手方向に互いに離れ、かつ所定の領域に制限されている少なくとも２つの隣り合う鍵接触部（２１０ａ、２１１ｂ）を含んでいるため関連する鍵の長手方向のコードパターンと摺動係合可能であり、各ロックタンブラーの必ずしも全てではない少なくとも１つの鍵接触部が、関連する鍵を錠のキースロットに完全に挿入すると、この鍵の対応するコード部と実際に係合する。
2009503304.tif 000002
【特許請求の範囲】
【請求項１】
円筒状の孔（２０２）を有するハウジング（２００）と、
この円筒状孔内で回転自在に軸支される円筒状キープラグ（２０３）とを含み、
この円筒状キープラグが、長手方向に延びたキースロット（２０４）と、この円筒状孔内でキープラグが回転するのを係止するキープラグ軸に沿って一列に並んだ複数のロックタンブラー（２０５）とを有し、
少なくともこれら複数のロックタンブラーの一部が、胴体部（２０６ａ）と、関連する鍵と係合する一体型のキー検知部分（２０６ｂ）とを含み、この胴体部が対応するチャンバー（２０８）内に取り付けられて、そのチャンバー内でその軸と平行なタンブラー軸に沿って昇降する種類の複数の錠と、
前記錠のキープラグのキースロットに挿入可能な長手方向に延びたキーブレード（１０２）を含み、
このキーブレードが、少なくとも１つの長手方向に延びたコードパターン（１０３）を有し、このコードパターンは、前記一体型になったキー検知部と係合するための種々の深さの複数のコード部（１０４）を含み、かつ、前記キーブレードが前記キースロット内にに挿入されたとき、キー検知部が前記長手方向のコードパターンをたどるようにする種類の複数の鍵と、からなるロック・キーシステムにおいて、
前記一列に配されたタンブラーの少なくとも前記一部のロックタンブラーそれぞれの一体型キー検知部（２０６ｂ）が、少なくとも２つの隣り合う鍵接触部（２１０ａ、２１１ａ）を含み、これら鍵接触部は、それぞれ前記キープラグ軸に沿って長手方向に互いに離れ、かつ、互いにこの一列に並んだロックタンブラーの２つの隣り合うロックタンブラーの中央軸間の距離の４分の３を超えない距離をおいて、所定の領域内に配置され、これら鍵接触部はそれぞれ、鍵が錠のキースロットに挿入されたとき、鍵の長手方向のコードパターンと摺動係合することができる滑らかな縁部を具備し、
前記鍵の長手方向のコードパターンにおけるコード部の数は、長手方向に間隔を空けて配置されている前記一列に並んだロックタンブラーの鍵接触部の数と一致しており、
前記一部のロックタンブラーそれぞれの鍵接触部の必ずしも全てではなく少なくとも１つの鍵接触部が、鍵をキースロットに完全に挿入したとき、これと対応するコード部と実際に係合する、ことを特徴とするロック・キーシステム。
【請求項２】
互いに異なる少なくとも第１の錠および第２の錠と、同様に互いに異なる少なくとも第１の鍵（１０２Ａ）および第２の鍵（１０２Ｂ）とを含み、前記第１の鍵は錠の総数未満の錠を操作し、前記第２の鍵は第１の鍵よりも多くの錠を操作し、前記第１および第２の鍵はいずれも、それぞれの錠またはいくつかの錠を操作するために完全に挿入しても、関連する錠のロックタンブラーの対応する鍵接触部と接触しない多数のコード部を有することを特徴とする請求項１に記載のロック・キーシステム。
【請求項３】
円筒状の孔（２０２）を有するハウジング（２００）と、
この円筒状孔内で回転自在に軸支される円筒状キープラグ（２０３）とを含み、
この円筒状キープラグが、長手方向に延びたキースロット（２０４）と、この円筒状孔内でキープラグが回転するのを係止するキープラグ軸に沿って一列に並んだ複数のロックタンブラー（２０５）とを有し、
少なくともこれら複数のロックタンブラーの一部が、胴体部（２０６ａ）と、錠に対応する鍵と係合する一体型のキー検知部分（２０６ｂ）とを含み、この胴体部が対応するチャンバー（２０８）内に取り付けられて、そのチャンバー内でその軸と平行なタンブラー軸に沿って昇降するシリンダー錠において、
前記一列に配されたタンブラーの少なくとも前記一部のロックタンブラーそれぞれの一体型キー検知部（２０６ｂ）が、少なくとも２つの隣り合う鍵接触部（２１０ａ、２１１ａ）を含み、これら鍵接触部は、それぞれ前記キープラグ軸に沿って長手方向に互いに離れ、かつ、互いにこの一列に並んだロックタンブラーの２つの隣り合うロックタンブラーの中央軸間の距離の４分の３を超えない距離をおいて、所定の領域内に配置され、これら鍵接触部はそれぞれ、鍵が錠のキースロットに挿入されたとき、鍵の長手方向のコードパターンと摺動係合することができるようになっており、
これらの隣接する鍵接触部の必ずしも全てではなく少なくとも１つの鍵接触部が、鍵をキースロットに完全に挿入したとき、前記鍵の前記長手方向に延びた対応するコード部と係合するようになっていることを特徴とするシリンダー錠。
【請求項４】
前記隣り合う鍵接触部（２１０ａ、２１１ａ）が前記キープラグ軸に対して横方向に互いに離れていることを特徴とする請求項３に記載のシリンダー錠。
【請求項５】
各ロックタンブラー（２５６）の前記胴体部が、その回転動作が制限されるように案内されていることを特徴とする請求項４に記載のシリンダー錠。
【請求項６】
前記胴体部が回転しないように案内されていることを特徴とする請求項５に記載のシリンダー錠。
【請求項７】
前記隣り合う鍵接触部（２２０ａ、２２１ａ）を備えた前記一体型キー検知部が、前記胴体部（２１７）から横に延びる指部（２１９）に配置されていることを特徴とする請求項３に記載のシリンダー錠。
【請求項８】
前記胴体部（２１７）が、その回転動作が制限されるように案内され、前記隣り合う鍵接触部（２２０ａ、２２１ａ）が、関連する鍵（１２２）の少なくとも１つの側部に配された長手方向に延びたコードパターン（１２５）と摺動係合できるようになっていることを特徴とする請求項７に記載のシリンダー錠。
【請求項９】
前記胴体部（２１７）が回転しないように案内されていることを特徴とする請求項８に記載のシリンダー錠。
【請求項１０】
前記隣り合う鍵接触部（２２０ａ、２１１ａ；２６６Ａ、２６６Ｂ）が前記ロックタンブラー（２１６；２６６）端部から延びていることを特徴とする請求項３から９いずれかに記載のシリンダー錠。
【請求項１１】
前記隣り合う鍵接触部（２６６Ａ、２６６Ｂ）を備えた前記ロックタンブラー（２６６）が、前記キースロットの中央面に対して直角に可動となるように配向されていることを特徴とする請求項３に記載のシリンダー錠。
【請求項１２】
前記隣り合う鍵接触部（２６６Ａ、２６６Ｂ）が前記キースロットに対して異なるレベルに位置することを特徴とする請求項１１に記載のシリンダー錠。
【請求項１３】
前記ラグ（２１０ａ、２１１ａ；２６６Ａ、２６６Ｂ）が前記タンブラー軸と平行な方向に延びていることを特徴とする請求項１０に記載のシリンダー錠。
【請求項１４】
前記隣り合う鍵接触部が、前記キースロットの一方の長手方向の側部に位置する、少なくとも２つの隣り合う鍵接触部（２３７Ａ、２３７Ｂ）を含むことを特徴とする請求項３に記載のシリンダー錠。
【請求項１５】
前記隣り合う鍵接触部が、前記キースロットの反対側の長手方向の側部に位置する、少なくとも２つの隣り合う鍵接触部（２４７Ａ、２４７Ｂ）を含むことを特徴とする請求項１４に記載のシリンダー錠。
【請求項１６】
前記隣り合う鍵接触部が、前記キースロットの長手方向の各側部に、少なくとも２つの隣り合う鍵接触部（２４６Ａ、２４６Ｂ、２４７Ａ、２４７Ｂ）を含むことを特徴とする請求項１５に記載のシリンダー錠。
【請求項１７】
円筒状孔内で回転自在に軸支されているキープラグと、プラグの軸に沿って一列に配列された多数のロックタンブラーとを有するシリンダー錠内に配置され、胴体部と、関連する鍵の長手方向のコードパターンと係合するようになっている一体型キー検知部とを含むロックタンブラーにおいて、
前記ロックタンブラーの前記一体型キー検知部（２０６ｂ）に少なくとも２つの隣り合う鍵接触部（２１０ａ、２１１ａ）が設けられており、これら鍵接触部は、それぞれ前記キープラグ軸に沿って長手方向に互いに離れ、かつ、互いにこの一列に並んだロックタンブラーの２つの隣り合うロックタンブラーの中央軸間の距離の４分の３を超えない距離をおいて、所定の領域内に配置され、
これら鍵接触部にはそれぞれ、前記関連する鍵の長手方向のコードパターンと摺動係合することができる滑らかな縁部が設けられており、
これらの隣接する鍵接触部の必ずしも全てではなく少なくとも１つの鍵接触部が、鍵をキースロットに完全に挿入したとき、前記鍵の前記長手方向に延びた対応するコード部と係合するようになっていることを特徴とするロックタンブラー（２０６）。
【請求項１８】
長手方向に延びたキーブレード（１０２）を含み、このキーブレードは、関連する錠の回転自在なキープラグのキースロットに挿入可能であり、前記錠は、前記キープラグの軸に沿って一列に配された複数のロックタンブラーを有し、
前記キーブレードが、前記ロックタンブラーの少なくとも一部のキー検知部と係合する少なくとも１つの長手方向に延びたコードパターン（１０３）を有する、鍵（１００）において、
前記長手方向のコードパターンが、前記一部の前記ロックタンブラーの各キー検知部に設けられ、かつ、前記キーブレードが前記キースロットに挿入されたとき、前記キープラグ軸に沿って長手方向に互い離れている少なくとも２つの隣り合う鍵接触部のうちの対応する１つと、係合するための深さの異なる多数のコード部（１０４）を含み、
前記コード部の数が、前記一部のロックタンブラーの長手方向に間隔を空けて配置された鍵接触部の数と一致し、
これらの隣接する鍵接触部の必ずしも全てではなく少なくとも１つの鍵接触部が、鍵をキースロットに完全に挿入したとき、前記キーブレードの前記長手方向に延びたコードパターンの対応するコード部と接触するように前記長手方向のコードパターンのコード部が形成されていることを特徴とする鍵。
【請求項１９】
長手方向のコードパターン（１０３）が、前記キーブレード（１０２）の少なくとも１つの長手方向に延びた縁部に配置されていることを特徴とする請求項１８に記載の鍵。
【請求項２０】
長手方向のコードパターンが、前記キーブレードの前記長手方向の縁部に、互いに平行に、かつ隣接して延びた２つの離隔した部分（１１０、１１１、１１２’；１８３、１８４）を含むことを特徴とする請求項１９に記載の鍵。
【請求項２１】
長手方向のコードパターン（１２５；１６３、１６４；１８５）が前記キーブレード（１２２；１６２；１８２）の少なくとも一方の側部に配置されていることを特徴とする請求項１８に記載の鍵。
【請求項２２】
長手方向のコードパターン（１３３Ａ、１３３Ｂ、１３５Ａ、１３５Ｂ）が前記側部の棚面上に配置されていることを特徴とする請求項２１に記載の鍵。
【請求項２３】
波状コードパターン（１２５；１８５）が前記側部の長手方向に延びた溝に配置されていることを特徴とする請求項２１に記載の鍵。
【請求項２４】
長手方向のコードパターン（１０３）が、隣り合うタンブラー接触部の群（１１０、１１１、１１２）となるように配設されているタンブラーとの接触部を含み、このような各群が少なくとも２つのタンブラー接触部を含み、前記隣り合うタンブラー接触部の必ずしも全てではなく、少なくとも１つが、鍵を前記キースロットに完全に挿入したとき関連するタンブラーの対応する鍵接触部と実際に係合できるように位置することを特徴とする請求項１８に記載の鍵。
【請求項２５】
前記隣り合うタンブラー接触部がそれぞれ滑らかに形成された窪み（１１０、１１１）を有することを特徴とする請求項２４に記載の鍵。
【請求項２６】
前記滑らかに形成された窪みが所定の数の垂直レベルまたは深さに位置しており、その垂直面が鍵の長手方向に対して直角に形成されていることを特徴とする請求項２５に記載の鍵。
【請求項２７】
前記隣り合うタンブラー接触部（１１０、１１１、１１２）が、中央部（１１２）および２つの隣接する部分（１１０、１１１）をこの中央部の長手方向の両側に含むことを特徴とする請求項２４に記載の鍵。
【請求項２８】
前記中央部が窪み（１１２）で構成されていることを特徴とする請求項２７に記載の鍵。
【請求項２９】
前記隣接部（１１０、１１１）が同じ垂直レベルまたは深さに位置し、その垂直面は鍵の長手方向に対して直角に配向されていることを特徴とする請求項２７または２８に記載の鍵。
【請求項３０】
前記長手方向の縁部（１０２’ａ；１０２’’ａ）がキーブレード（１０２’；１０２’’）の底部（１０２’ｂ；１０２’’ｂ）より薄くなっていることを特徴とする請求項１９に記載の鍵。
【請求項３１】
前記薄くなっている長手方向の縁部（１０２’ａ）が前記底部（１０２’ｂ）に対して横方向に完全にオフセットしていることを特徴とする請求項３０に記載の鍵。
【請求項３２】
前記薄くなっている長手方向の縁部（１０２’’ａ）が、前記底部（１０２’’ｂ）から斜め上方に延びるように配向されていることを特徴とする請求項３０に記載の鍵。
【請求項３３】
キーブレード（１３２；１４２）が、１８０度回転させた２つの位置においていずれの位置においても錠に挿入できるように、左右対称になっていることを特徴とする請求項１８に記載の鍵。
【請求項３４】
キーブレード（１５２）の前記長手方向縁部の前記コードパターンが、キーブレード（１５２）と垂直に配向された平面に対して異なる角度に配向された切り欠きを含むことを特徴とする請求項１９に記載の鍵。
【請求項３５】
請求項１８から３４いずれかに記載のキーブレード（１０２’；１０２’’）を含み、キーブレードの長手方向に延びた部分（１０２ａ’；１０２ａ’’）が、請求項１から３４のいずれかに記載されているようなコードパターンを形成できるような形状を有することを特徴とするキーブランク。
【請求項３６】
キーブレードが、キーブレード（１０２’；１０２’’）の底部に対してオフセットになっている、または斜めに延びている長手方向の縁部を含むことを特徴とする請求項３５に記載のキーブランク。
【発明の詳細な説明】
【技術分野】
【０００１】
本発明は、錠のタンブラーが改良されたロック・キーシステムに関し、このシステムは、非常に多くの数のコードの組み合わせを有していること、マスターキーが１つの錠のみを操作する特定の鍵にも見えるようなマスターキーシステムの設計が可能であること、不正な複製の防止をはじめとする防犯性を全体的に向上させていることといった多くの利点を有する。
【０００２】
同様のシステムは、例えば特許文献１、特許文献２、特許文献３、特許文献４（以上すべてＢｏ  Ｗｉｄeｎによる）、特許文献５および特許文献６（いずれもＭｅｄｅｃｏによる）から一般に知られている。
【特許文献１】米国特許第４，７５６，１７７号明細書
【特許文献２】米国特許第５，０６７，３３５号明細書
【特許文献３】米国特許第５，６４０，８６５号明細書
【特許文献４】米国特許第５，７１５，７１７号明細書
【特許文献５】米国特許第４，６３５，４５５号明細書
【特許文献６】国際公開第９５／１６０９２号パンフレット
【０００３】
本発明はさらに、このような錠、このような鍵またはキーブランクおよびこのようなロックタンブラーに関する。
【０００４】
より具体的には本発明はロック・キーシステムに関し、このシステムは、
円筒状の孔を有するハウジングと、
この円筒状孔内で回転自在に軸支される円筒状キープラグとを含み、
この円筒状キープラグが、長手方向に延びたキースロットと、この円筒状孔内でキープラグが回転するのを係止するキープラグ軸に沿って一列に並んだ複数のロックタンブラーとを有し、
少なくともこれら複数のロックタンブラーの一部が、胴体部と、関連する鍵と係合する一体型のキー検知部分とを含み、この胴体部が対応するチャンバー内に取り付けられて、そのチャンバー内でその軸と平行なタンブラー軸に沿って昇降するといった種類の複数の錠と、
上記錠のキープラグのキースロットに挿入可能な長手方向に延びたキーブレードを含み、
このキーブレードが、少なくとも１つの長手方向に延びたコードパターンを有し、このコードパターンは、上記一体型になったキー検知部と係合するための種々の深さの複数のコード部を含み、かつ、上記キーブレードがキースロット内にに挿入されたとき、キー検知部が前記長手方向のコードパターンをたどるようにするといった種類の複数の鍵と、からなる。
【０００５】
上述した明細書に開示されているように、キーブレードに沿って長手方向に延びたコードパターンをキーブレードの（通常平坦な）縁部、棚部(shelf)、または側面部に配置してもよい。この鍵に対応する錠のタンブラーは、Ｍｅｄｅｃｏの特許に開示されているように、鍵の縁部に形成されたコードパターンと係合するためキースロットに対して中央か、または上述したＷｉｄeｎの特許で開示されているように、鍵の棚部もしくはキーブレードの側部に形成されたコードパターンと係合するためキースロットに対して横方向か、そのいずれかに配列される。当然のことながら、２つまたはそれ以上のロックタンブラーの列を設けて、それぞれの列を対応する鍵の長手方向のコードパターンと協働させることも可能である。
【背景技術】
【０００６】
上述の従来から知られているシステムは、高度な防犯性を供し、かつ非常に多くの数のコード組み合わせを可能にしている。それにもかかわらず、ピッキングやマスターキーの不正な複製のためのマスターキーコードを検出する手口は、着実に進歩しており、かつ巧妙化している。したがって、特に特定のロック・キーシステムに用いるコードを保護し、かつ、１つまたはそれ以上の鍵および関連する錠に基づいた不正なコード検出や鍵の複製に対する防犯性を高めるため、ロック・キーシステムの防犯レベルを常に向上させなければならない。
【発明の開示】
【発明が解決しようとする課題】
【０００７】
かかる背景に鑑み、本発明の主な目的は上述のこのようなロック・キーシステムの防犯レベルを向上させること、特に各ロックタンブラーと、対応する鍵の長手方向に延びたコードパターンとの協働をさらに向上させることにある。
【０００８】
より具体的で、しかし同じく重要なその他の目的は、可能なコード組み合わせ数をさらに増やしてこのシステムのすべての錠をよりピッキングの困難な錠とし、これによって、認可されていない者が対応する鍵の長手方向のコードパターンを分析しただけで開錠用のロックタンブラーの配置を判断する可能性を排除することにある。
【０００９】
これらの目的は、上記一列に配されたタンブラーの少なくとも上記一部のロックタンブラーそれぞれの一体型キー検知部が、少なくとも２つの隣り合う鍵接触部を含み、これら鍵接触部は、それぞれ上記キープラグ軸に沿って長手方向に互いに離れ、かつ、互いにこの一列に並んだロックタンブラーの２つの隣り合うロックタンブラーの中央軸間の距離の４分の３を超えない距離をおいて、所定の領域内に配置されたロック・キーシステムによって達成される。これら鍵接触部はそれぞれ、鍵が錠のキースロットに挿入されたとき、鍵の長手方向のコードパターンと摺動係合することができる例えば丸みを帯びた、または面取りした滑らかな縁部を具備している。上記鍵の長手方向のコードパターンにおけるコード部の数は、長手方向に間隔を空けて配置されている前記一列に並んだロックタンブラーの鍵接触部の数と一致しているため、この一列に並んだロックタンブラーの数よりもはるかに多い。上記一部のロックタンブラーそれぞれの鍵接触部の必ずしも全てではなく少なくとも１つの鍵接触部が、鍵をキースロットに完全に挿入したとき、これと対応するコード部と実際に係合する。
【００１０】
したがって、一般にすべての接触部が、ある特定の鍵に対して対応するコード部と接触することは理論的には可能であるが、実際には対応するコード部とは係合しない多くの鍵接触部がある。
【００１１】
本発明の基本的な特徴は、可能なコードの組み合わせの増加に付随したロックタンブラーの２つ以上の隣り合う長手方向に間隔を空けて配置された、鍵接触部の配列にある。
【００１２】
特許文献７（Ｎｅｉｍａｎ）に開示されている、横断面に配置された一列のタンブラープレートがそれぞれ間隔を空けて配置されている鍵接触部（図示していないが、明細書４頁、２１−２３行目に提案されている）を有している錠も本発明に関連する従来技術として挙げられる。しかしながら、これらの鍵接触部間の距離は、任意の１対のタンブラープレート間の長手方向の距離よりも長く、これらの鍵接触部がコードパターンまたはコード化システムを構成するためにキーブレードのコード部と協働することはない。これとは対照的に本発明では、接触部は長手方向に間隔を空けて配置されているが、「隣り合う」という用語が示すとおり互いに非常に近接しており、その互いの距離は一列に並んだ２つの隣り合うロックタンブラーの中央軸間の距離の４分の３より短くなるように選択されている。 通常、これらの接触部はロックタンブラーの胴体部の境界内または断面領域に制限される、すなわち、チャンバー内部に収容され、そこで上下に動くように案内される。
【特許文献７】フランス特許第２３７８１５９号明細書
【００１３】
本発明の別の好適な特徴は、一列に並んだタンブラーの少なくとも一部のタンブラーの１つ以上の鍵接触部が、個別の錠を操作する鍵の特定のコード部と実際には接触しないという冗長度(redundancy)にある。このような鍵の長手方向のコードパターンを分析しても、どのコード部が関連するロックタンブラーの対応する鍵接触部と実際に接触するのかを判断することは不可能である。
【００１４】
マスターキーシステムではすべての鍵が膨大な数のコード部を有するため、通常、特定の鍵が１つの錠のみ、多数の錠、またはすべての錠を操作するのかを見分けることは不可能である。
【００１５】
本発明のロック・キーシステムは、互いに異なる少なくとも第１および第２の錠と、同じく互いに異なる少なくとも第１および第２の鍵とを含むことが好ましく、第１の鍵は錠の総数よりも少ない錠を操作し、第２の鍵は第１の鍵より多くの錠を操作し、これらの鍵はいずれもそれぞれの錠またはいくつかの錠に完全に挿入して開錠するとき、関連する錠のロックタンブラーの対応する鍵接触部とは接触しない多数のコード部を有する。
【００１６】
さらなる本発明のロック・キーシステム、錠、鍵（またはキーブランク）およびロックタンブラーの好適な特徴について請求項で定義し、かつ以下に詳しく説明する。
【発明を実施するための最良の形態】
【００１７】
以下、本発明の最良の実施態様を示す添付図を参照しながら、本発明についてさらに詳述する。
【００１８】
図１は、鍵１００が挿入されたシリンダー錠２００の略図である。鍵１００は、図２および３により明確に示すように、把持部１０１と、通常平坦なキーブレード１０２とを含む。キーブレード１０２の頂縁部には長手方向の好ましくは波状のコードパターン１０３が設けられており、このコードパターンは、キーブレードが錠に挿入されたとき、または錠から抜かれたとき、錠のロックタンブラーまたはロックピンと接触する多数の窪みまたは切り欠き部１０４を含む。
【００１９】
シリンダー錠２００は、上述の特許明細書から知られている一般的なものであってもよく、ドアなどの施錠対象物の内部に堅固に取り付けられるハウジング２０１を含み、このハウジング２０１は円筒状の孔２０２を含み、その内部には円筒状キープラグ２０３が回転自在に軸支されている。キープラグ２０３は、対応する鍵のキーブレード１０２を受け入れる長手方向に延びたキースロット２０４と、符号２０５で示す（図３）多数のロックタンブラーとを通常含む。一般に、これらのロックタンブラー２０５は対応する、正しくコード化された鍵１００がキースロット２０４に完全に挿入されない限り、キープラグ２０３を係止して、円筒状孔２０２内で回転しないようにする。
【００２０】
図示した実施態様において、ロックタンブラー２０５は、シリンダー錠の技術では周知である、キースロット２０４に沿って直線状に配列した下方ピン２０６と、上方ピン２０７とを含む。下方ピン２０６は、対応する円筒状チャンバー２０８内に取り付けられた円筒状胴体部２０６ａと、キーブレード１０２の波状コードパターン１０３と接触する下方に位置するキー検知部２０６ｂとを含む（図２）。対応する上方タンブラーの列はハウジング２０１の円筒状チャンバー内に取り付けられ、螺旋状のバネ２０９によって下方に付勢されている。正しくコード化されたキーブレード１０２が錠２００に完全に挿入されたときのみ、上方および下方ピン２０７、２０６の互いに接触する端部の表面がハウジング２０１の円筒状孔２０２の内側表面と同一面上に位置し、キープラグ２０３を回転させて開錠する。
【００２１】
当然のことながら、これまで説明してきた構造は例えば上述の特許などから、よく知られている。
【００２２】
本発明では各ロックタンブラーもしくは下方ロックピン２０６のキー検知部２０６ｂ、または少なくともこれらのタンブラーの一部は、以下に詳述するように、少なくとも２つの隣り合う鍵接触部２１０、２１１を具備している。２つの隣り合う鍵接触部を有するこのタイプのタンブラーピンを示す図１２も参照のこと。
【００２３】
図２から明らかなように、対応するキーブレードは、上記一列に並んだロックタンブラーの数と一致する多数のコード部または窪みを、対応する鍵１００の好ましくは波状コードパターン１０３に含む。図１から３が示す実施態様では、このようなコード部または窪み１０４の数は１２箇所であるが、これは６本のロックタンブラーピン２０６の下方端部の鍵接触部２１０、２１１の数と等しい。
【００２４】
図４ａから４ｅが示すように、キーブレードの長手方向のコードパターンは種々の形状を有してもよい。これらの図は、キースロット２０４の開口部から最も離れた、最も内部に位置するロックタンブラーピン２０６と対応するコードパターンの一部だけを示す。コードパターンは、また対応するタンブラーのキー検知部の構造によっても大きく異なる。
【００２５】
図４ａは同じ深さを有し、図１２に示すようなロックタンブラーピンの２つの隣り合う鍵接触部のうちの少なくとも１つと係合するように設計された２つの隣り合う窪み１１０、１１１を示し（図１３ａも参照）、これらのロックタンブラーピンはすべて下方に突出するラグ形状の２つの隣り合う鍵接触部２１０ａ、２１１ａ（または２１０ｂ、２１１ｂもしくは２１０ｃ、２１１ｃもしくは２１０ｄ、２１１ｄもしくは２１０ｅ、２１１ｅ）を有する。これらのラグはキープラグ２０３およびキースロット２０４の長手方向に互いに離れているが、所定の領域に制限されており、隣り合うラグ間の距離は一列に並んだ２つの隣り合うロックタンブラーピンの中央軸間の距離の４分の３未満であるが、約２分の１が好ましい（または可能であれば半分未満とする）。
【００２６】
通常、タンブラーピンの直径は約２．７ｍｍから約３ｍｍであり、隣り合うタンブラーピンの中央軸間の距離が約３．７ｍｍから約４ｍｍ、隣り合うラグ間の距離が約２．０ｍｍ以下、すなわちいずれの２つの隣り合うタンブラーピンであっても、その中央軸間の距離の約半分となっている。
【００２７】
図４ｂでは、３つの隣り合う窪み、すなわち図４ａの窪みに相当する、間隔を空けて配置された２つの窪み１１０および１１１、ならびに中央の窪み１１２が設けられている。中央の窪み１１２は、タンブラーピンの第３の中央ラグ（図示していない）と協働させてもよい。図４ｃが示すコードパターンは、間隔を空けて配置された２つのコード部１１０、１１１およびその間に位置する、中央の深めのコード部１１２’を含む。このようなパターンが、図５ａから５ｃまたは図１２（タンブラーピン２０６Ａ）が示すタイプのタンブラーピンと協働するようにしてもよい。
【００２８】
図４ｄでは（図３０も参照のこと）、コードパターンがキーブレードの上方縁部に並列して形成された２つの平行なコードパターンに分かれている。このようにキーブレードの一方の半部上には、２つの窪み１１０および１１１を有する図４ａが示すコードパターンに相当するコードパターンが設けられており、もう一方の半部上には、コードパターン１１０、１１１の間の深い中央の窪み１１２’を有する図４ｃが示すコードパターンに相当するコードパターンが設けられている。このようなコードパターンまたはむしろ１組の平行なコードパターンを、左右の半部に異なる構造を有するピンタンブラーと協働させてもよい。
【００２９】
鍵の上方縁部に１組の平行なコードパターンを有する鍵全体を図３０に示す。
【００３０】
図４ｅに示すコードパターンは、図４ａに示すコードパターンと類似であるが、キーブレードの上方縁部が大幅に薄くなっている。このコードパターンが、長手方向に離れているラグ２１０ａ、２１１ａなどを有する図１２に示すタイプのタンブラーピンと協働するようにしてもよい。
【００３１】
通常のロック・キーシステムでは、図４ａに示すような、深さの異なる窪み１１０、１１１を有するコードパターンと類似のものを用いることが適当と思われる。その他の類似のコードパターンは、図４ｅ、７および８に示すもの（上方縁部が薄いキーブレードを有する）、ならびに、図４ｂおよび４ｃに示すもの（各タンブラーピンが長手方向に間隔を空けて配置されている３つのコード部を有する）である。
【００３２】
図５ａ、５ｂ、５ｃ、６、および図１２でも示すようなタンブラーピン２０６ａ、２０６Ａは、長手方向に間隔を空けて配置された２つのラグ２１０ａ、２１１ａ、２１０ｂ、２１１ｂ、２１０ｃ、２１１ｃ、２１０ｄ、２１１ｄ、２１１ｅを有し、２つまたは３つのコード部を有する異なるコードパターンと協働する。
【００３３】
ここで、円筒状胴体部２０６ａを有するタンブラーピンの隣り合う鍵接触部を変更するにあたっての種々の可能性について、図９、１０、１１、１２および１３ａから１３ｅを参照しながら説明する。本明細書における「円筒状」とは必ずしも「円形の筒」を意味するわけではなく、胴体部が上下前後の往復運動のために案内されれば円形以外の断面を有する構造を含んでもよい。
【００３４】
図９は、その上方縁部に２つの連続する窪み１１０、１１１を備えたコードパターンを有するキーブレード１０２の端部および３つの異なるタンブラーピン２０６ａ（異なる下方端部を有する）を備えた３つの対応するキープラグのコードパターンに対応する部分を示す。図１０では、キーブレード１０２およびタンブラーピン２０６ａの端部の側面を示し、図１１は、窪み１１０、１１１を有する個別のコードパターンおよびタンブラーピンの鍵接触部２１０、２１１の拡大図である。図１１から明らかなように、鍵接触部またはラグ２１０が対応するコード部または窪み１１０と接触すると、タンブラーピンの胴体部２０６ａは、その他の鍵接触部またはラグ２１１の深さと関係なく、同じ水平レベルに位置決めされるが、これはコード部または窪み１１１が非常に深いことに起因する。
【００３５】
図１２に示すタンブラーピンはすべて同じタイプの円筒状胴体部２０６ａを有しているが、異なる鍵接触部を有する。したがってタンブラーピン２０６Ａは、同じ深さの２つのラグ２１０ａ、２１１ａを有し、これらはタンブラーピンの円筒軸に沿って見るといずれも比較的短い。次のタンブラーピン２０６Ｂは、１つの短い後部ラグ２１１ｂと、非常に長い前部ラグ２１０ｂとを有する。その後に続くタンブラーピン２０６Ｃは、短い後部ラグ２１０ｃと、より長い前部ラグ２１１ｃとを有する。次のタンブラーピン２０６Ｄは、長い後部ラグ２１０ｄと、短い前部ラグ２１１ｄを有し、最後のタンブラーピン２０６Ｅは、非常に長い後部ラグ２１０ｅと、短い前部ラグ２１１ｅとを有する。
【００３６】
図１３ａに示すキーブレード１０２Ａは、同じ深さの２つのコード部または窪み１１０Ａと、１１１Ａとを有し、これらは上記のタンブラーピンの短めのラグ２１０ａ、２１１ａ、２１０ｂ、２１０ｃ、２１１ｄ、２１１ｅと対応しており、比較的浅い。キーブレード１０２Ｂは、１つの浅い後方の窪み１１０Ｂと、深めの前方の窪み１１１Ｂとを有する。次のキーブレード１０２Ｃは、浅い後方の窪み１１０Ｃと、非常に深めの前方の窪み１１１Ｃとを有する。その後に続くキーブレード１０２Ｄは、深い後方の窪み１１０Ｄと、浅い前方の窪み１１１Ｄとを有する。最後のキーブレード１０２Ｅは、非常に深い後方の窪み１１０Ｅと、浅い前方の窪み１１１Ｅとを有する。
【００３７】
各タンブラーピンは、その上端部の表面が円筒状孔２０２（図１）の内側表面と同一平面上のシャーライン（shear line）に位置決めされたときのみ、キープラグを回転させて開錠することができる。これらの位置は、図１３ａ（２０６Ａ）、１３ｂ（２０６Ａ、２０６Ｂ）、１３ｃ（２０６Ａ、２０６Ｂ、２０６Ｃ）、１３ｄ（２０６Ａ、２０６Ｄ）および１３ｅ（２０６Ａ、２０６Ｄ、２０６Ｅ）のキーブレードの斜線によって示される。
【００３８】
種々のタンブラーピン２０６Ａから２０６Ｅと、種々のキーブレード１０２Ａから１０２Ｅとによる２５通りの組み合わせは、これらの組み合わせがマスターキーシステムでどのように使用可能かを例示するものである。従って、２０６Ａ、２０６Ｂおよび２０６Ｃといったタンブラーのみを用いた場合（例えば図１から３が示すような６つのタンブラーを有する列に沿った、６つのタンブラー位置すべてに）、キーブレード１０２Ａを有する特定の鍵であれば、１つまたはある特定のグループの錠（２０６Ａといったタンブラーピンを有するもの）だけを操作して開錠する。１０２Ｂの鍵（いわゆるマスターキー）といった第２の鍵またはある特定のグループの鍵であれば、２０６Ａおよび２０６Ｂといったタンブラーを有する２つの錠またはいくつかのグループの錠を操作し、その一方、キーブレード１０２Ｃといった鍵またはいくつかのグループの鍵であれば、２０６Ａ、２０６Ｂおよび２０６Ｃなどのタンブラーを有する全ての錠または全てのグループの錠をすべて開錠することができる。当然のことながら、最後の鍵１０２Ｃをこのシステムのすべての錠を操作するマスターキーとして用いてもよい。
【００３９】
その他、２０６Ａ、２０６Ｄおよび２０６Ｅといったタンブラーピンのみを用いることも可能である。
【００４０】
このようなロック・キーシステムにおける鍵はすべて、図３が示すようにいずれもキーブレードの上方縁部に沿って１２の窪みを有するといった、非常に類似した形状を有しているため、１つの鍵、または、いくつかの鍵およびそれに対応する錠のみを入手した者が、この鍵が１つの特定の錠のみを操作する鍵なのか、またはこのシステムのいくつかの錠を操作するマスターキーなのかを判断することは事実上不可能である。
【００４１】
以下の説明から明らかであるように、当然のことながら異なるタイプのタンブラーピンを隣り合う鍵接触部に用いることもできるため、実際に可能な組み合わせの数は膨大である。
【００４２】
可能なコードパターンの変形例を図１３ｆから図１３ｈに示す。図１３ｆでは、ロックピン２０６Ａが２つの短いラグ２１０ａと、２１１ａとを有し、図１３ｇでは、ロックピン２０６Ｄが長い後方ラグ２１０ｄと、短い前方ラグ２１１ｄとを有し、図１３ｈでは、ロックピン２０６Ｅが非常に長い後方ラグ２１０ｅと、短い前方ラグ２１１ｅとを有する。これらの図から、キーブレード１０２Ａ、１０２Ｄおよび１０２Ｅのコードパターンは、２つのタンブラー接触部１１０Ａ、１１１Ａ間、１１０Ｄ、１１１Ｄ間および１１０Ｅ、１１１Ｅ間の材料の一部をそれぞれ、例えば各図の点線に沿って切り取っていくらか変更しても、なお関連するロックピンを支持して同じ位置に保持できることは明らかである。このような鍵またはキーブランクの変形例もまた添付の請求項に記載されている。しかしながら図１３ｇおよび１３ｈの変形例において、タンブラーピンは接触部１１１Ｄおよび１１１Ｅでは所望どおり厳密に位置決めされない場合もあることに留意されたい。
【００４３】
したがって、窪み１１０Ａ、１１１Ａ、１１１Ｄおよび１１１Ｅを少なくとも部分的に維持して、タンブラーラグ（たとえば２１０ａ、２１１ａ、２１１ｄ、２１１ｅのいずれか）がこのような窪み内で（１１１Ｅなど）安定して位置決めされるようにすることが好ましい。
【００４４】
さらにタンブラーのキー検知部は、必ずしも円筒状胴体部の端部に位置する必要はなく、例えば図１５から１９および１４ａから１４ｈが示すように、胴体部から横方向に延びる指部にこれを配置してもよい。このようなタンブラーとしては、上述の特許文献１、２および４（いずれもＢｏ  Ｗｉｄeｎによる）に開示されている周知のタイプのタンブラーであってもよい。このタイプの側部タンブラー２１６を図１５に示す。これはキープラグのキースロットの側部の円筒状チャンバー（図示していない）内に位置して、側部タンブラー２１６の胴体部２１７の下方端部から横方向に延びる指部２１９によってキーブレード２１７上の側部コードパターンと係合している間、キースロットと平行に、上下に可動である（場合によっては回転自在でもある）である。側部タンブラー２１６の胴体部２１７は、先に述べた米国特許に開示されているように、所定の位置に移動するとサイドバー（図示していない）に嵌合して開錠することができる凹部２１８を具備している。
【００４５】
また別の実施態様として（図示していない）、横方向の指部を有するまたは有さない側部タンブラーを、例えば上記特許文献３（Ｗｉｄeｎによる）に開示されているように、キーブレードの中実な底部の上方側部の棚に形成された長手方向のコードパターンと協働させてもよい。
【００４６】
上記特許文献４（Ｗｉｄeｎによる）に開示されている態様と同様に、キーブレード１２２は側壁および底壁によって形成された長手方向の側溝１２３を有し、下方側壁はこの溝１２３にアンダーカット部分を形成できるように傾斜している。波状コードパターンは側溝１２３のアンダーカット部を形成する側壁部１２４に形成されている。キーブレード１２２のみを示す図１４ａも参照のこと。指部２１９の位置は略式に符号「＋」で示す。図１４ａから１４ｈから明らかなように、この実施態様のキーブレードは２つの波状コードパターンを有しており、一方はキーブレードの上方縁部上に位置して窪み１１０と、１１１とを有し、もう一方は側壁部１２４上に位置して側部タンブラー２１６の横方向の指部２１９と係合する。
【００４７】
本発明では、横方向の指部２１９は、図１６、１７および１８の右側に示すように、キープラグ（図示していない）の長手方向に配設された２つ以上の鍵接触部を具備している。
【００４８】
上述の実施態様の鍵接触部と同様に、鍵接触部は２つの隣り合うタンブラーの軸間の距離の４分の３未満の距離の所定の領域内に収まっている。
【００４９】
図１６では、指部２１９は下方部または裏面に短い後方ラグ２２０ａと、非常に長い前方ラグ２２１ａとを有し、これら２つのラグは波状コードパターン１２５の対応するコード部または窪み１２６および１２７それぞれに嵌合する。
【００５０】
図１７では、タンブラー２１６が短い後方ラグ２２０ｂと、これより長いラグ２２１ｂ（図１６のラグ２２１ａほど長くはない）とを有する横方向の指部２１９を有する。
【００５１】
図１８では、後方ラグ２２０ｃおよび２２１はいずれも短い。
【００５２】
基本的に、タンブラー２１６と、コードパターン１２５との（コード化の観点での）相関関係は、図１３ａから１３ｅに示す関係と同様である。
【００５３】
図１４ｂ乃至１４ｈから明らかなように、波状側部コードパターン１２５はこれらの図において同一である上方コードパターン１１０、１１１とは別個に変更が可能であり、また上方コードパターンも、当然のことながら、それぞれが異なってもよい（または、錠が側部タンブラーのみを具備する場合は設けなくてもよい）。
【００５４】
図１４ｂでは、側部コードパターンが異なるレベルに３つの窪みを含み、図１４ｃでは１つの非常に深い後方の窪みと、浅い前方の窪みとを含んでおり、図１４ｄのパターン１２５ｄは非常に深い２つの窪みを含み、図１４ｅのコードパターン１２５ｅは中央にも非常に深い窪みを含んだ類似のものであり、図１４ｆのコードパターン１２５ｆは非常に深い後方の窪みと、前方の窪みと、それらの間に比較的深い窪みとを含み、図１４ｇのパターン１２５ｇは浅い後方の窪みと、中央の深い窪みと、非常に深い前方の窪みとを含み、最後の図１４ｈのコードパターン１２５ｈは図１８と同様に浅い後方の窪みと、非常に深い前方の窪みとを含む。
【００５５】
図２０ａ、２０ｂおよび２０ｃは、その両側に側部コードパターン１３５Ａ、１３５Ｂとをそれぞれ有し、さらにキーブレードの上下棚部を切り抜いた上下棚コードパターン１３３Ａ、１３３Ｂを有するキーブレード１３２を示す。これらの側部および棚コードパターンは、それぞれ対をなして互いに同一であるため、キーブレードを上下逆にしてもそれぞれのロックタンブラーと協働して同様に機能させることができる。例えば図１５から１９に示すような、または先述のＷｉｄeｎに付与されたいずれの特許文献もしくはＷｉｎｌｏｃによる特許文献８、特許文献９および特許文献１０に開示されているような、一般的なタイプの側部タンブラー２２６の第１の列は、側部コードパターン１３５Ａ、１３５Ｂのいずれかと協働し、これに対して上方ロックタンブラー２３６の列は棚コードパターン１３３Ａ、１３３Ｂのいずれかと協働する。これらの上方ロックタンブラー２３６は、図２１から判るように、鍵接触部２３７Ａ、２３７Ｂを具備して鍵の長手方向の一方の側部に位置し、２つの鍵接触部２３７Ａ、２３７Ｂは本発明に従って長手方向にやや間隔を空けて配置されている。しかしながら、これまでの実施態様に見られるように、長手方向の距離は隣り合う２つのタンブラー間の距離の４分の３未満でなければならず、この場合はこの距離の約半分となっている。その結果、一列に並んだタンブラーの種々の鍵接触部２３７Ａ、２３７Ｂが長手方向に均等に配設される（図２１参照）。
【特許文献８】国際公開第２００３／０６２５７０号パンフレット
【特許文献９】国際公開第２００５／０２８７８９号パンフレット
【特許文献１０】スウェーデン特許第０５００６２４−２号明細書
【００５６】
図２２ａ、２２ｂ、２２ｃおよび２３はそれぞれ、対をなす同一のコードパターン１４３Ａ、１４３Ｂと、１４４Ａ、１４４Ｂとを有することにより、上下を逆にしてもなお上方タンブラー２４６、２４７と協働することができるキーブレード１４２を含む、さらなる実施態様を示す。タンブラーは長手方向に一列に配列されており、ここでは一方の上方タンブラー２４６（または上方タンブラーの第１の組）が長手方向右側に一対の隣り合う鍵接触部２４６Ａ、２４６Ｂを有し、これに対してもう一方の上方タンブラー２４７（または第２の１組の上方タンブラー）は長手方向左側に一対の隣り合う鍵接触部２４７Ａ、２４７Ｂを具備する。図２３はキーブレード１４２およびタンブラー２４６、２４７の対応する側面図である。
【００５７】
図２４ａ、２４ｂ、２４ｃおよび２５が示す実施態様は、一列に並んだロックタンブラー２５６を含むが、これらはそれぞれ、例えば回転を制限するための対応する空洞部（図示していない）に収容されたフィン２５７（図２４ｂ参照）に案内されて回転動作が制限される。タンブラー２５６は横方向ラグ３２１、３２２などを有するサイドバー３００と協働し、これらは対応する各タンブラー２５６の胴体部に沿った溝２５８に嵌合する。
【００５８】
対応するキーブレード１５２は、（図２５）その上方縁部にコードパターン１５３を有し、ここではコード部が各タンブラー２５６に対応して斜めに配向されているので（キーブレード１５２と直角の平面に対して１５度を超えないことが好ましい）、鍵接触部２５６Ａ、２５６Ｂを備えた対応するタンブラー２５６が特定の回転位置に入ることによって、サイドバーが錠を開錠する。
【００５９】
また図２６ａ、２６ｂ、２６ｃ、２７および２８が示すさらなる実施態様では、長手方向の一列に並んだタンブラー２６６は、チャンバー（図示していない）内に案内されて、キーブレード１６２に対して横方向に、かつ直角に動く。各タンブラー２６６は２つの隣り合う鍵接触部２６６Ａ、２６６Ｂを有し、これらはそれぞれタンブラー２６６の端面からキーブレードに向かって延びている円錐状ラグとして形成される。
【００６０】
図２７および２８が示すように、これらの円錐状ラグを、キーブレード１６２の対応するラグの場所にある凹部と共にコードパターンを形成する１つまたはそれ以上（タンブラーピン最端部のラグの位置による）の長手方向の列に沿って配置させてもよい。
【００６１】
これらの凹部は通常異なる深さを有し、１つまたはそれ以上の長手方向の列に沿って位置することによって、対応するタンブラーの円錐状のラグと位置を合わせられるようになっている。上述の実施態様と同様に、ラグ２６６Ａまたは２６６Ｂのうちの一部は対応する凹部１６３、１６４の内部に完全に入り込まなくてもよいため、コード化の原理はその他の実施態様と同じである。また、この実施態様でも同様にキーブレードが左右対称なので、上下を逆にしても錠に挿入することができる。
【００６２】
上述のすべての実施態様において、鍵接触部は長手方向に配設されており、関連する鍵の長手方向のコードパターンと滑合できるように、滑らかな縁部を有する。このような滑らかな縁部は丸い形状を有する接触部、または接触部の最下部に隣接させて面取りした滑走部を作製することによって達成される。これらの接触部は、キーブレードをキースロットに挿入したり抜いたりするときに長手方向のコードパターンと滑りながら係合するので、キーブレードを完全に挿入したときの位置ではこれと接触しない接触部にとっても、滑らかな縁部を作製することは重要である。
【００６３】
上述したように、タンブラーのうちの数個または一部だけに２つまたはそれ以上の鍵接触部を設けることも可能である。
【００６４】
また、隣り合う鍵接触部はキープラグの長手方向に、場合によっては横方向にも配設される。
【００６５】
ロックタンブラーを例えば図９から１９ならびに図２４ａ、２４ｂ、２４ｃおよび２５に示すように案内して、それが回転するのを制限してもよい。このような回転動作の制限を例えば図２４ａ、２４ｂおよび２４ｃが示すガイドフィンまたはその他の方法によって行ってもよい。特に、キーブレード上の長手方向に平行のコードパターンがある場合、対応するロックタンブラー２３６、指部２０ａ、２０ｂ、２０ｃ、２１および２４６、２４７、指部２２ａ、２２ｂ、２２ｃ、２３および２６６、指部２６ａ、２６ｂ、２６ｃ、２７、２８および２７６、指部２９および２８６、２８７、ならびに指部３０を回転させずに案内し、それぞれの鍵接触部と、長手方向のコードパターンとが必ず適切に協働するようにしなければならない。
【００６６】
また当然のことながら、長手方向のコード部（図示していない）をキーブレードの両側に設けて（例えば図２２ａ、２２ｂ、２２ｃおよび２３が示すように）、キースロットの両側に配置された側部ロックタンブラー（図示していない）の対応する列と協働させて、キーブレードを上下逆にできるようにすることも可能である。その際、横方向の指部は胴体部の端部ではなく、むしろほぼ中央に位置しなければならない。
【００６７】
上下逆にすることが可能な、左右対称のキーブレードの別の例を図２９に示す。上方ピンの列２７６は（２本のピンのみを示す）、キーブレード１７２の上方縁部と協働し、これに対して側部タンブラーの２本の列２８６、２９６はキースロット（図示していない）の両側に配列されるので、対応する側部コードパターン（特に示さない）と協働することができる。上方ピンはそれぞれ、先述の実施態様と同様に後方のラグ２６Ａと、前方のラグ２７６Ｂとを有し、キーブレード１７２の頂上縁部のコードパターンは上方ピン２７６と協働するために切り取られている。機能的には図１２および図１３ａから１３ｅと同じである。
【００６８】
上述した種々のコードパターンは、種々の方法で相互に組み合わせることができる。最後の例を図３０に示すが、ここでは、キーブレード１８２が図４ｄと類似の上方縁部の２つの平行な波状コードパターン１８３、１８４と、側部コードパターン１８５とを有する鍵を図示している。
【００６９】
上方コードパターン１８３、１８４は、図２２ａ、２２ｂ、２２ｃおよび２３が示すピン２４６、２４７とやや類似の上方タンブラーピン２８６、２８７と協働し、これに対して側部コードパターン１８５は、側部タンブラー（図示していない）と協働する。
【００７０】
当然のことながら、この実施態様では、キーブレード１８２は図のように配向されたときのみ機能し、上下逆にすることはできない。
【００７１】
または、側部コードパターン１８５を有さずに、上方コードパターン１８３、１８４のみを有することも可能である。
【００７２】
長手方向のコードパターンは波状が好ましいが、これらが長手方向に延び、かつ種々のレベルまたは深さを有する限り、その他の形状に構成してもよい。
【００７３】
本発明の鍵またはキーブランクは、対応するロックタンブラーの数を一般に超える多数のコード部を有する長手方向のコードパターンを含み、キーブレードを錠に完全に挿入した際のタンブラーの鍵接触部それぞれに対するコード部は、これらが実際に接触してもしなくても、１つであることを特徴とする。しかしながら、タンブラーの隣り合う接触部のうちの少なくとも１つ（必ずしもすべてではないが）は、キーブレードの長手方向のコードパターンの対応するコード部と接触しなければならない。
【００７４】
通常、コード部の数はタンブラーの鍵接触部の数と等しい。しかしながら特定の場合、例えばタンブラーの長手方向の鍵接触部がキーブレードの極めて浅いコードパターンと協働するキーブレードの最頂部などでは、これらの数が若干異なっていてもよい。また鍵のコード部がタンブラーの鍵接触部の総数を超えてもよい。
【００７５】
キーブレードの長手方向のコードパターンは、図１から３に示すような上方縁部、図２９に示すような両側部、図１５から１８に示すような長手方向の溝の側壁、または、上述の特許文献３（Ｗｉｄeｎによる）に開示されている、もしくは図２０ａ、２０ｂ、２０ｃ、２１および図２２ａ、２２ｂ、２２ｃ、２３に示すようなキーブレードの厚めの底部が形成する１つ以上の棚といったキーブレードのその他の部分に配置してもよい。
【００７６】
コードパターンを有さない鍵、または少なくとも１つのコード部がすでに作製されている鍵をキーブランクとしてもよいが、後者の鍵の場合はさらに少なくとも１つのコード部をキーブランクにカットすれば完成品の鍵となる。したがって、「鍵」に関する添付の請求項は対応するキーブランクにも及ぶものであるが、両者が唯一異なる点は、キーブランクには最終的に機械でコードパターンが作製されることである。
【００７７】
例示した実施態様において、長手方向のコードパターンのコード部は通常、３つの異なるレベルまたは深さのうちの１つに位置する。当然のことながら、このようなレベルまたは深さの数は、例えば１つもしくは２つにしたり、または垂直レベルや深さの数を増やしたり、というように変更も可能である。
【００７８】
さらにキーブレードの断面図は当業者が変更することも可能で、例えば図４ｅに示すように、キーブレードの側部に種々の長手方向の直線溝および／または薄くした上方部分を設けてもよい。図７および８に示すように鍵の断面図は、キーブレード１０２’の底部１０２ｂ’から全体的に横方向にオフセットしている比較的薄い縁部１０２’ａ（図７）、または、キーブレード１０２’の底部１０２ｂ’’の一方の側面から、もう一方の側面へ斜めに延びるように配向された縁部１０２’’ａ（図８）を含んでいてもよい。このような鍵（およびキーブランク）の実施態様が供するのは細長い、実質的に利点を有するロック・キー構成で、特にタンブラーピンの側面の最外側面で、オフセットしている鍵のコード部と接触するようになったタンブラーピンを必要とする。これらの実施態様では従来の円錐形またはのみの歯状のタンブラーピンの操作ができないため、これらの鍵の断面は新しい型のもので、添付の鍵およびキーブランクそれぞれの請求項において保護されている。
【００７９】
タンブラーピンは、図１から３に示すように上方ピン２０７およびバネ２０９で付勢させる必要はないが、別の方法でハウジング円筒状孔内におけるキープラグの回転を係止または促進できるように設計してもよい。また、マスターピンまたはウエーハを上方ピンと下方ピンの頂部（特に図示していない）との間に軸方向に位置してもよい。
【図面の簡単な説明】
【００８０】
【図１】より明確にするために一部を切り欠いて示した、本発明のシステムの錠およびそれに挿入された鍵の略式斜視図である。
【図２】図１の錠および鍵のキープラグ一部断面を示す側面図である。
【図３】ロックタンブラーを取り出してキープラグの上方で別々に示した、図１および図２の鍵およびキープラグの斜視図である。
【図４ａ】本発明のコード部を有するキーブレードの端部の種々の実施態様の斜視図である。
【図４ｂ】本発明のコード部を有するキーブレードの端部の種々の実施態様の斜視図である。
【図４ｃ】本発明のコード部を有するキーブレードの端部の種々の実施態様の斜視図である。
【図４ｄ】本発明のコード部を有するキーブレードの端部の種々の実施態様の斜視図である。
【図４ｅ】本発明のコード部を有するキーブレードの端部の種々の実施態様の斜視図である。
【図５ａ】本発明のキーブレードの端部および２つの鍵接触部を有する関連するロックタンブラーの側面図である。
【図５ｂ】本発明のキーブレードの端部および２つの鍵接触部を有する関連するロックタンブラーの側面図である。
【図５ｃ】本発明のキーブレードの端部および２つの鍵接触部を有する関連するロックタンブラーの側面図である。
【図６】図５ａから５ｃのキーブレードおよび対応するロックタンブラーの端面図である。
【図７】キーブレードの上方縁部が薄くなっており、かつ、キーブレードの底部に対してずれている変形例の側面図、断面図および斜視図である。
【図８】キーブレードの上方縁部が薄くなっており、かつ、キーブレードの底部に対してずれている変形例の側面図、断面図および斜視図である。
【図９】キーブレードの端部およびキーブレードのコード部に嵌合するように変形させた３種類のロックタンブラーを有する、３つのキープラグの対応する部分の略斜視図である。
【図１０】図９のキーブレードおよびキープラグの側面図である。
【図１１】図９および図１０のキーブレードのコード部および３つの変形タンブラーの部分拡大図である。
【図１２】５つの異なるロックタンブラーのそれぞれの側面図である。
【図１３ａ】図１２の５つの異なるロックタンブラーと、これと係合する５つの異なるキーブレードの（端部の）側面図である。
【図１３ｂ】図１２の５つの異なるロックタンブラーと、これと係合する５つの異なるキーブレードの（端部の）側面図である。
【図１３ｃ】図１２の５つの異なるロックタンブラーと、これと係合する５つの異なるキーブレードの（端部の）側面図である。
【図１３ｄ】図１２の５つの異なるロックタンブラーと、これと係合する５つの異なるキーブレードの（端部の）側面図である。
【図１３ｅ】図１２の５つの異なるロックタンブラーと、これと係合する５つの異なるキーブレードの（端部の）側面図である。
【図１３ｆ】図１２の５つの異なるロックタンブラーと、これに係合する５つの異なるキーブレードの（端部の）側面図である。
【図１３ｇ】図１２の５つの異なるロックタンブラーと、これに係合する５つの異なるキーブレードの（端部の）側面図である。
【図１３ｈ】図１２の５つの異なるロックタンブラーと、これに係合する５つの異なるキーブレードの（端部の）側面図である。
【図１４ａ】一方がキーブレードの上方縁部、もう一方が側部に位置する２つの別個のコードパターンを具備し、側部のコードパターンが種々の形状に変形された、キーブレードの端部の側面図である。
【図１４ｂ】一方がキーブレードの上方縁部、もう一方が側部に位置する２つの別個のコードパターンを具備し、側部のコードパターンが種々の形状に変形された、キーブレードの端部の側面図である。
【図１４ｃ】一方がキーブレードの上方縁部、もう一方が側部に位置する２つの別個のコードパターンを具備し、側部のコードパターンが種々の形状に変形された、キーブレードの端部の側面図である。
【図１４ｄ】一方がキーブレードの上方縁部、もう一方が側部に位置する２つの別個のコードパターンを具備し、側部のコードパターンが種々の形状に変形された、キーブレードの端部の側面図である。
【図１４ｅ】一方がキーブレードの上方縁部、もう一方が側部に位置する２つの別個のコードパターンを具備し、側部のコードパターンが種々の形状に変形された、キーブレードの端部の側面図である。
【図１４ｆ】一方がキーブレードの上方縁部、もう一方が側部に位置する２つの別個のコードパターンを具備し、側部のコードパターンが種々の形状に変形された、キーブレードの端部の側面図である。
【図１４ｇ】一方がキーブレードの上方縁部、もう一方が側部に位置する２つの別個のコードパターンを具備し、側部のコードパターンが種々の形状に変形された、キーブレードの端部の側面図である。
【図１４ｈ】一方がキーブレードの上方縁部、もう一方が側部に位置する２つの別個のコードパターンを具備し、側部のコードパターンが種々の形状に変形された、キーブレードの端部の側面図である。
【図１５】キーブレードの側部のコードパターンと協働する、横方向に延びる指部を有するロックタンブラーの略端面図および側面図である。
【図１６】キーブレードの側部のコードパターンと協働する、横方向に延びる指部を有するロックタンブラーの略端面図である。
【図１７】キーブレードの側部のコードパターンと協働する、横方向に延びる指部を有するロックタンブラーの略端面図である。
【図１８】キーブレードの側部のコードパターンと協働する、横方向に延びる指部を有するロックタンブラーの略端面図である。
【図１９】図１５から１８のロックタンブラーおよびキーブレードの上面図である。
【図２０ａ】上下を逆にすることができ、かつ側部の一列のタンブラーおよび上方の別の一列のタンブラーと協働するキーブレードのさらなる実施態様の斜視図であり、この図では明確に示すためにタンブラーをキーブレードから離して示している。
【図２０ｂ】上下を逆にすることができ、かつ側部の一列のタンブラーおよび上方の別の一列のタンブラーと協働するキーブレードのさらなる実施態様の斜視図であり、この図では明確に示すためにタンブラーをキーブレードから離して示している。
【図２０ｃ】上下を逆にすることができ、かつ側部の一列のタンブラーおよび上方の別の一列のタンブラーと協働するキーブレードのさらなる実施態様の断面図であり、この図では明確に示すためにタンブラーをキーブレードから離して示している。
【図２１】図２０ａ、２０ｂおよび２０ｃのキーブレードおよび２つの上方のタンブラーの側面図である。
【図２２ａ】上下を逆にすることができ、かつ左右交互に配された鍵接触部を有する上方の一列のタンブラーと協働するキーブレードを含むさらなる実施態様の斜視図である。
【図２２ｂ】上下を逆にすることができ、かつ左右交互に配された鍵接触部を有する上方の一列のタンブラーと協働するキーブレードを含むさらなる実施態様の斜視図である。
【図２２ｃ】上下を逆にすることができ、かつ左右交互に配された鍵接触部を有する上方の一列のタンブラーと協働するキーブレードを含むさらなる実施態様の斜視図である。
【図２３】図２２ａ、２２ｂおよび２２ｃのキーブレードおよび２つの上方タンブラーの側面図である。
【図２４ａ】回転動作を制限するために案内され、かつサイドバーと協働する、キーブレードおよびタンブラーピン部分の斜視図である。
【図２４ｂ】回転動作を制限するために案内され、かつサイドバーと協働する、キーブレードおよびタンブラーピン部分の斜視図である。
【図２４ｃ】回転動作を制限するために案内され、かつサイドバーと協働する、キーブレードおよびタンブラーピン部分の側面図である。
【図２５】図２４ａ、２４ｂおよび２４ｃに示したタイプのロックタンブラーと協働するキーブレードの斜視図である。
【図２６ａ】キーブレードに対して直角に移動可能なタンブラーの列を有するさらなる実施態様の斜視図である。
【図２６ｂ】キーブレードに対して直角に移動可能なタンブラーの列を有するさらなる実施態様の斜視図である。
【図２６ｃ】キーブレードに対して直角に移動可能なタンブラーの列を有するさらなる実施態様の上面図である。
【図２７】図２６ａおよび２６ｂの２つのタンブラーの底面図および側面図である。
【図２８】図２６ａ、２６ｂおよび２６ｃのキーブレードの立面図および上面図である。
【図２９】上方タンブラーおよびキーブレードの両側で側部タンブラーと協働する、キーブレードのさらなる実施態様の側面図および斜視図である。
【図３０】本発明の鍵および鍵の上方縁部コードパターンと係合する関連する上方ピンのさらなる実施態様の斜視図である。
【図１】
2009503304.tif 000003
【図２】
2009503304.tif 000004
【図３】
2009503304.tif 000005
【図４ａ】
2009503304.tif 000006
【図４ｂ】
2009503304.tif 000007
【図４ｃ】
2009503304.tif 000008
【図４ｄ】
2009503304.tif 000009
【図４ｅ】
2009503304.tif 000010
【図５ａ】
2009503304.tif 000011
【図５ｂ】
2009503304.tif 000012
【図５ｃ】
2009503304.tif 000013
【図６】
2009503304.tif 000014
【図７】
2009503304.tif 000015
【図８】
2009503304.tif 000016
【図９】
2009503304.tif 000017
【図１０】
2009503304.tif 000018
【図１１】
2009503304.tif 000019
【図１２】
2009503304.tif 000020
【図１３ａ】
2009503304.tif 000021
【図１３ｂ】
2009503304.tif 000022
【図１３ｃ】
2009503304.tif 000023
【図１３ｄ】
2009503304.tif 000024
【図１３ｅ】
2009503304.tif 000025
【図１３ｆ】
2009503304.tif 000026
【図１３ｇ】
2009503304.tif 000027
【図１３ｈ】
2009503304.tif 000028
【図１４ａ】
2009503304.tif 000029
【図１４ｂ】
2009503304.tif 000030
【図１４ｃ】
2009503304.tif 000031
【図１４ｄ】
2009503304.tif 000032
【図１４ｅ】
2009503304.tif 000033
【図１４ｆ】
2009503304.tif 000034
【図１４ｇ】
2009503304.tif 000035
【図１４ｈ】
2009503304.tif 000036
【図１５】
2009503304.tif 000037
【図１６】
2009503304.tif 000038
【図１７】
2009503304.tif 000039
【図１８】
2009503304.tif 000040
【図１９】
2009503304.tif 000041
【図２０ａ】
2009503304.tif 000042
【図２０ｂ】
2009503304.tif 000043
【図２０ｃ】
2009503304.tif 000044
【図２１】
2009503304.tif 000045
【図２２ａ】
2009503304.tif 000046
【図２２ｂ】
2009503304.tif 000047
【図２２ｃ】
2009503304.tif 000048
【図２３】
2009503304.tif 000049
【図２４ａ】
2009503304.tif 000050
【図２４ｂ】
2009503304.tif 000051
【図２４ｃ】
2009503304.tif 000052
【図２５】
2009503304.tif 000053
【図２６ａ】
2009503304.tif 000054
【図２６ｂ】
2009503304.tif 000055
【図２６ｃ】
2009503304.tif 000056
【図２７】
2009503304.tif 000057
【図２８】
2009503304.tif 000058
【図２９】
2009503304.tif 000059
【図３０】
2009503304.tif 000060
【手続補正書】
【提出日】平成19年5月30日(2007.5.30)
【手続補正１】
【補正対象書類名】特許請求の範囲
【補正対象項目名】全文
【補正方法】変更
【補正の内容】
【特許請求の範囲】
【請求項１】
円筒状の孔（２０２）を有するハウジング（２００）と、
この円筒状孔内で回転自在に軸支される円筒状キープラグ（２０３）とを含み、
この円筒状キープラグが、長手方向に延びたキースロット（２０４）と、この円筒状孔内でキープラグが回転するのを係止するキープラグ軸に沿って一列に並んだ複数のロックタンブラー（２０５）とを有し、
少なくともこれら複数のロックタンブラーの一部が、胴体部（２０６ａ）と、関連する鍵と係合する一体型のキー検知部分（２０６ｂ）とを含み、この胴体部が対応するチャンバー（２０８）内に取り付けられて、そのチャンバー内でその軸と平行なタンブラー軸に沿って昇降する種類の複数の錠と、
前記錠のキープラグのキースロットに挿入可能な長手方向に延びたキーブレード（１０２）を含み、
このキーブレードが、少なくとも１つの長手方向に延びたコードパターン（１０３）を有し、このコードパターンは、前記一体型になったキー検知部と係合するための種々の深さの複数のコード部（１０４）を含み、かつ、前記キーブレードが前記キースロット内にに挿入されたとき、キー検知部が前記長手方向のコードパターンをたどるようにする種類の複数の鍵と、からなるロック・キーシステムにおいて、
前記一列に配されたタンブラーの少なくとも前記一部のロックタンブラーそれぞれの一体型キー検知部（２０６ｂ）が、突出したラグ形状の少なくとも２つの隣り合う鍵接触部（２１０ａ、２１１ａ）を含み、これら鍵接触部は、それぞれ前記キープラグ軸に沿って長手方向に互いに離れ、かつ、互いにこの一列に並んだロックタンブラーの２つの隣り合うロックタンブラーの中央軸間の距離の４分の３を超えない距離をおいて、所定の領域内に配置され、これら鍵接触部はそれぞれ、鍵が錠のキースロットに挿入されたとき、鍵の長手方向のコードパターンと摺動係合することができる滑らかな縁部を具備し、
前記鍵の長手方向のコードパターンにおけるコード部の数は、長手方向に間隔を空けて配置されている前記一列に並んだロックタンブラーの鍵接触部の数と一致しており、
前記一部のロックタンブラーそれぞれの鍵接触部の必ずしも全てではなく少なくとも１つの鍵接触部が、鍵をキースロットに完全に挿入したとき、これと対応するコード部と実際に係合する、ことを特徴とするロック・キーシステム。
【請求項２】
互いに異なる少なくとも第１の錠および第２の錠と、同様に互いに異なる少なくとも第１の鍵（１０２Ａ）および第２の鍵（１０２Ｂ）とを含み、前記第１の鍵は錠の総数未満の錠を操作し、前記第２の鍵は第１の鍵よりも多くの錠を操作し、前記第１および第２の鍵はいずれも、それぞれの錠またはいくつかの錠を操作するために完全に挿入しても、関連する錠のロックタンブラーの対応する鍵接触部と接触しない多数のコード部を有することを特徴とする請求項１に記載のロック・キーシステム。
【請求項３】
円筒状の孔（２０２）を有するハウジング（２００）と、
この円筒状孔内で回転自在に軸支される円筒状キープラグ（２０３）とを含み、
この円筒状キープラグが、長手方向に延びたキースロット（２０４）と、この円筒状孔内でキープラグが回転するのを係止するキープラグ軸に沿って一列に並んだ複数のロックタンブラー（２０５）とを有し、
少なくともこれら複数のロックタンブラーの一部が、胴体部（２０６ａ）と、錠に対応する鍵と係合する一体型のキー検知部分（２０６ｂ）とを含み、この胴体部が対応するチャンバー（２０８）内に取り付けられて、そのチャンバー内でその軸と平行なタンブラー軸に沿って昇降するシリンダー錠において、
前記一列に配されたタンブラーの少なくとも前記一部のロックタンブラーそれぞれの一体型キー検知部（２０６ｂ）が、少なくとも２つの隣り合う鍵接触部（２１０ａ、２１１ａ）を含み、これら鍵接触部は、それぞれ前記キープラグ軸に沿って長手方向に互いに離れ、かつ、互いにこの一列に並んだロックタンブラーの２つの隣り合うロックタンブラーの中央軸間の距離の４分の３を超えない距離をおいて、所定の領域内に配置され、これら鍵接触部はそれぞれ、鍵が錠のキースロットに挿入されたとき、鍵の長手方向のコードパターンと摺動係合することができるようになっており、
これらの隣接する鍵接触部の必ずしも全てではなく少なくとも１つの鍵接触部が、鍵をキースロットに完全に挿入したとき、前記鍵の前記長手方向に延びた対応するコード部と係合するようになっていることを特徴とするシリンダー錠。
【請求項４】
前記突出したラグ（２１０ａ、２１１ａ）が前記キープラグ軸に対して横方向に互いに離れていることを特徴とする請求項３に記載のシリンダー錠。
【請求項５】
各ロックタンブラー（２５６）の前記胴体部が、その回転動作が制限されるように案内されていることを特徴とする請求項４に記載のシリンダー錠。
【請求項６】
前記胴体部が回転しないように案内されていることを特徴とする請求項５に記載のシリンダー錠。
【請求項７】
前記突出したラグ（２２０ａ、２２１ａ）を備えた前記一体型キー検知部が、前記胴体部（２１７）から横に延びる指部（２１９）に配置されていることを特徴とする請求項３に記載のシリンダー錠。
【請求項８】
前記胴体部（２１７）が、その回転動作が制限されるように案内され、前記突出したラグ（２２０ａ、２２１ａ）が、関連する鍵（１２２）の少なくとも１つの側部に配された長手方向に延びたコードパターン（１２５）と摺動係合できるようになっていることを特徴とする請求項７に記載のシリンダー錠。
【請求項９】
前記胴体部（２１７）が回転しないように案内されていることを特徴とする請求項８に記載のシリンダー錠。
【請求項１０】
前記突出したラグ（２２０ａ、２１１ａ；２６６Ａ、２６６Ｂ）が前記ロックタンブラー（２１６；２６６）端部から延びていることを特徴とする請求項３から９いずれかに記載のシリンダー錠。
【請求項１１】
前記突出したラグ（２６６Ａ、２６６Ｂ）を備えた前記ロックタンブラー（２６６）が、前記キースロットの中央面に対して直角に可動となるように配向されていることを特徴とする請求項３に記載のシリンダー錠。
【請求項１２】
前記突出したラグ（２６６Ａ、２６６Ｂ）が前記キースロットに対して異なるレベルに位置することを特徴とする請求項１１に記載のシリンダー錠。
【請求項１３】
前記ラグ（２１０ａ、２１１ａ；２６６Ａ、２６６Ｂ）が前記タンブラー軸と平行な方向に延びていることを特徴とする請求項１０に記載のシリンダー錠。
【請求項１４】
前記隣り合う鍵接触部が、前記キースロットの一方の長手方向の側部に位置する、少なくとも２つの突出したラグ（２４６Ａ、２４６Ｂ、２４７Ａ、２４７Ｂ）を含むことを特徴とする請求項３に記載のシリンダー錠。
【請求項１５】
前記隣り合う鍵接触部が、前記キースロットの反対側の長手方向の側部に位置する、少なくとも２つの突出したラグ（２４７Ａ、２４７Ｂ）を含むことを特徴とする請求項１４に記載のシリンダー錠。
【請求項１６】
前記隣り合う鍵接触部が、前記キースロットの長手方向の各側部に、少なくとも２つの突出したラグ（２４６Ａ、２４６Ｂ、２４７Ａ、２４７Ｂ）を含むことを特徴とする請求項１５に記載のシリンダー錠。
【請求項１７】
円筒状孔内で回転自在に軸支されているキープラグと、プラグの軸に沿って一列に配列された多数のロックタンブラーとを有するシリンダー錠内に配置され、胴体部と、関連する鍵の長手方向のコードパターンと係合するようになっている一体型キー検知部とを含むロックタンブラーにおいて、
前記ロックタンブラーの前記一体型キー検知部（２０６ｂ）に少なくとも２つの隣り合う鍵接触部（２１０ａ、２１１ａ）が設けられており、これら鍵接触部は、それぞれ前記キープラグ軸に沿って長手方向に互いに離れ、かつ、互いにこの一列に並んだロックタンブラーの２つの隣り合うロックタンブラーの中央軸間の距離の４分の３を超えない距離をおいて、所定の領域内に配置され、
これら鍵接触部にはそれぞれ、前記関連する鍵の長手方向のコードパターンと摺動係合することができる滑らかな縁部が設けられており、
これらの隣接する鍵接触部の必ずしも全てではなく少なくとも１つの鍵接触部が、鍵をキースロットに完全に挿入したとき、前記鍵の前記長手方向に延びた対応するコード部と係合するようになっていることを特徴とするロックタンブラー（２０６）。
【請求項１８】
長手方向に延びたキーブレード（１０２）を含み、このキーブレードは、関連する錠の回転自在なキープラグのキースロットに挿入可能であり、前記錠は、前記キープラグの軸に沿って一列に配された複数のロックタンブラーを有し、
前記キーブレードが、前記ロックタンブラーの少なくとも一部のキー検知部と係合する少なくとも１つの長手方向に延びたコードパターン（１０３）を有する、鍵（１００）において、
前記長手方向のコードパターンが、前記一部の前記ロックタンブラーの各キー検知部に設けられ、かつ、前記キーブレードが前記キースロットに挿入されたとき、前記キープラグ軸に沿って長手方向に互い離れている少なくとも２つの隣り合う鍵接触部のうちの対応する１つと、係合するための深さの異なる多数のコード部（１０４）を含み、
前記コード部の数が、前記一部のロックタンブラーの長手方向に間隔を空けて配置された鍵接触部の数と一致し、
これらの隣接する鍵接触部の必ずしも全てではなく少なくとも１つの鍵接触部が、鍵をキースロットに完全に挿入したとき、前記キーブレードの前記長手方向に延びたコードパターンの対応するコード部と接触するように前記長手方向のコードパターンのコード部が形成されていることを特徴とする鍵。
【請求項１９】
長手方向のコードパターン（１０３）が、前記キーブレード（１０２）の少なくとも１つの長手方向に延びた縁部に配置されていることを特徴とする請求項１８に記載の鍵。
【請求項２０】
長手方向のコードパターンが、前記キーブレードの前記長手方向の縁部に、互いに平行に、かつ隣接して延びた２つの離隔した部分（１１０、１１１、１１２’；１８３、１８４）を含むことを特徴とする請求項１９に記載の鍵。
【請求項２１】
長手方向のコードパターン（１２５；１６３、１６４；１８５）が前記キーブレード（１２２；１６２；１８２）の少なくとも一方の側部に配置されていることを特徴とする請求項１８に記載の鍵。
【請求項２２】
長手方向のコードパターン（１３３Ａ、１３３Ｂ、１３５Ａ、１３５Ｂ）が前記側部の棚面上に配置されていることを特徴とする請求項２１に記載の鍵。
【請求項２３】
波状コードパターン（１２５；１８５）が前記側部の長手方向に延びた溝に配置されていることを特徴とする請求項２１に記載の鍵。
【請求項２４】
長手方向のコードパターン（１０３）が、隣り合うタンブラー接触部の群（１１０、１１１、１１２）となるように配設されているタンブラーとの接触部を含み、このような各群が少なくとも２つのタンブラー接触部を含み、前記隣り合うタンブラー接触部の必ずしも全てではなく、少なくとも１つが、鍵を前記キースロットに完全に挿入したとき関連するタンブラーの対応する鍵接触部と実際に係合できるように位置することを特徴とする請求項１８に記載の鍵。
【請求項２５】
前記隣り合うタンブラー接触部がそれぞれ滑らかに形成された窪み（１１０、１１１）を有することを特徴とする請求項２４に記載の鍵。
【請求項２６】
前記滑らかに形成された窪みが所定の数の垂直レベルまたは深さに位置しており、その垂直面が鍵の長手方向に対して直角に形成されていることを特徴とする請求項２５に記載の鍵。
【請求項２７】
前記隣り合うタンブラー接触部（１１０、１１１、１１２）が、中央部（１１２）および２つの隣接する部分（１１０、１１１）をこの中央部の長手方向の両側に含むことを特徴とする請求項２４に記載の鍵。
【請求項２８】
前記中央部が窪み（１１２）で構成されていることを特徴とする請求項２７に記載の鍵。
【請求項２９】
前記隣接部（１１０、１１１）が同じ垂直レベルまたは深さに位置し、その垂直面は鍵の長手方向に対して直角に配向されていることを特徴とする請求項２７または２８に記載の鍵。
【請求項３０】
前記長手方向の縁部（１０２’ａ；１０２’’ａ）がキーブレード（１０２’；１０２’’）の底部（１０２’ｂ；１０２’’ｂ）より薄くなっていることを特徴とする請求項１９に記載の鍵。
【請求項３１】
前記薄くなっている長手方向の縁部（１０２’ａ）が前記底部（１０２’ｂ）に対して横方向に完全にオフセットしていることを特徴とする請求項３０に記載の鍵。
【請求項３２】
前記薄くなっている長手方向の縁部（１０２’’ａ）が、前記底部（１０２’’ｂ）から斜め上方に延びるように配向されていることを特徴とする請求項３０に記載の鍵。
【請求項３３】
キーブレード（１３２；１４２）が、１８０度回転させた２つの位置においていずれの位置においても錠に挿入できるように、左右対称になっていることを特徴とする請求項１８に記載の鍵。
【請求項３４】
キーブレード（１５２）の前記長手方向縁部の前記コードパターンが、キーブレード（１５２）と垂直に配向された平面に対して異なる角度に配向された切り欠きを含むことを特徴とする請求項１９に記載の鍵。
【請求項３５】
請求項１８から３４いずれかに記載のキーブレード（１０２’；１０２’’）を含み、キーブレードの長手方向に延びた部分（１０２ａ’；１０２ａ’’）が、請求項１から３４のいずれかに記載されているようなコードパターンを形成できるような形状を有することを特徴とするキーブランク。
【請求項３６】
キーブレードが、キーブレード（１０２’；１０２’’）の底部に対してオフセットになっている、または斜めに延びている長手方向の縁部を含むことを特徴とする請求項３５に記載のキーブランク。
【手続補正２】
【補正対象書類名】明細書
【補正対象項目名】全文
【補正方法】変更
【補正の内容】
【発明の詳細な説明】
【技術分野】
【０００１】
本発明は、錠のタンブラーが改良されたロック・キーシステムに関し、このシステムは、非常に多くの数のコードの組み合わせを有していること、マスターキーが１つの錠のみを操作する特定の鍵にも見えるようなマスターキーシステムの設計が可能であること、不正な複製の防止をはじめとする防犯性を全体的に向上させていることといった多くの利点を有する。
【０００２】
同様のシステムは、例えば特許文献１、特許文献２、特許文献３、特許文献４（以上すべてＢｏ  Ｗｉｄeｎによる）、特許文献５および特許文献６（いずれもＭｅｄｅｃｏによる）から一般に知られている。
【特許文献１】米国特許第４，７５６，１７７号明細書
【特許文献２】米国特許第５，０６７，３３５号明細書
【特許文献３】米国特許第５，６４０，８６５号明細書
【特許文献４】米国特許第５，７１５，７１７号明細書
【特許文献５】米国特許第４，６３５，４５５号明細書
【特許文献６】国際公開第９５／１６０９２号パンフレット
【０００３】
本発明はさらに、このような錠、このような鍵またはキーブランクおよびこのようなロックタンブラーに関する。
【０００４】
より具体的には本発明はロック・キーシステムに関し、このシステムは、
円筒状の孔を有するハウジングと、
この円筒状孔内で回転自在に軸支される円筒状キープラグとを含み、
この円筒状キープラグが、長手方向に延びたキースロットと、この円筒状孔内でキープラグが回転するのを係止するキープラグ軸に沿って一列に並んだ複数のロックタンブラーとを有し、
少なくともこれら複数のロックタンブラーの一部が、胴体部と、関連する鍵と係合する一体型のキー検知部分とを含み、この胴体部が対応するチャンバー内に取り付けられて、そのチャンバー内でその軸と平行なタンブラー軸に沿って昇降するといった種類の複数の錠と、
上記錠のキープラグのキースロットに挿入可能な長手方向に延びたキーブレードを含み、
このキーブレードが、少なくとも１つの長手方向に延びたコードパターンを有し、このコードパターンは、上記一体型になったキー検知部と係合するための種々の深さの複数のコード部を含み、かつ、上記キーブレードがキースロット内にに挿入されたとき、キー検知部が前記長手方向のコードパターンをたどるようにするといった種類の複数の鍵と、からなる。
【０００５】
上述した明細書に開示されているように、キーブレードに沿って長手方向に延びたコードパターンをキーブレードの（通常平坦な）縁部、棚部(shelf)、または側面部に配置してもよい。この鍵に対応する錠のタンブラーは、Ｍｅｄｅｃｏの特許に開示されているように、鍵の縁部に形成されたコードパターンと係合するためキースロットに対して中央か、または上述したＷｉｄeｎの特許で開示されているように、鍵の棚部もしくはキーブレードの側部に形成されたコードパターンと係合するためキースロットに対して横方向か、そのいずれかに配列される。当然のことながら、２つまたはそれ以上のロックタンブラーの列を設けて、それぞれの列を対応する鍵の長手方向のコードパターンと協働させることも可能である。
【背景技術】
【０００６】
上述の従来から知られているシステムは、高度な防犯性を供し、かつ非常に多くの数のコード組み合わせを可能にしている。それにもかかわらず、ピッキングやマスターキーの不正な複製のためのマスターキーコードを検出する手口は、着実に進歩しており、かつ巧妙化している。したがって、特に特定のロック・キーシステムに用いるコードを保護し、かつ、１つまたはそれ以上の鍵および関連する錠に基づいた不正なコード検出や鍵の複製に対する防犯性を高めるため、ロック・キーシステムの防犯レベルを常に向上させなければならない。
【発明の開示】
【発明が解決しようとする課題】
【０００７】
かかる背景に鑑み、本発明の主な目的は上述のこのようなロック・キーシステムの防犯レベルを向上させること、特に各ロックタンブラーと、対応する鍵の長手方向に延びたコードパターンとの協働をさらに向上させることにある。
【０００８】
より具体的で、しかし同じく重要なその他の目的は、可能なコード組み合わせ数をさらに増やしてこのシステムのすべての錠をよりピッキングの困難な錠とし、これによって、認可されていない者が対応する鍵の長手方向のコードパターンを分析しただけで開錠用のロックタンブラーの配置を判断する可能性を排除することにある。
【０００９】
これらの目的は、上記一列に配されたタンブラーの少なくとも上記一部のロックタンブラーそれぞれの一体型キー検知部が、突出したラグ形状の少なくとも２つの隣り合う鍵接触部を含み、これら鍵接触部は、それぞれ上記キープラグ軸に沿って長手方向に互いに離れ、かつ、互いにこの一列に並んだロックタンブラーの２つの隣り合うロックタンブラーの中央軸間の距離の４分の３を超えない距離をおいて、所定の領域内に配置されたロック・キーシステムによって達成される。これら鍵接触部はそれぞれ、鍵が錠のキースロットに挿入されたとき、鍵の長手方向のコードパターンと摺動係合することができる例えば丸みを帯びた、または面取りした滑らかな縁部を具備している。上記鍵の長手方向のコードパターンにおけるコード部の数は、長手方向に間隔を空けて配置されている前記一列に並んだロックタンブラーの鍵接触部の数と一致しているため、この一列に並んだロックタンブラーの数よりもはるかに多い。上記一部のロックタンブラーそれぞれの鍵接触部の必ずしも全てではなく少なくとも１つの鍵接触部が、鍵をキースロットに完全に挿入したとき、これと対応するコード部と実際に係合する。
【００１０】
したがって、一般にすべての接触部が、ある特定の鍵に対して対応するコード部と接触することは理論的には可能であるが、実際には対応するコード部とは係合しない多くの鍵接触部がある。
【００１１】
本発明の基本的な特徴は、可能なコードの組み合わせの増加に付随したロックタンブラーの２つ以上の隣り合う長手方向に間隔を空けて配置された、鍵接触部の配列にある。
【００１２】
特許文献７（Ｎｅｉｍａｎ）に開示されている、横断面に配置された一列のタンブラープレートがそれぞれ間隔を空けて配置されている鍵接触部（図示していないが、明細書４頁、２１−２３行目に提案されている）を有している錠も本発明に関連する従来技術として挙げられる。しかしながら、これらの鍵接触部間の距離は、任意の１対のタンブラープレート間の長手方向の距離よりも長く、これらの鍵接触部がコードパターンまたはコード化システムを構成するためにキーブレードのコード部と協働することはない。これとは対照的に本発明では、接触部は長手方向に間隔を空けて配置されているが、「隣り合う」という用語が示すとおり互いに非常に近接しており、その互いの距離は一列に並んだ２つの隣り合うロックタンブラーの中央軸間の距離の４分の３より短くなるように選択されている。 通常、これらの接触部はロックタンブラーの胴体部の境界内または断面領域に制限される、すなわち、チャンバー内部に収容され、そこで上下に動くように案内される。
【特許文献７】フランス特許第２３７８１５９号明細書
【００１３】
本発明の別の好適な特徴は、一列に並んだタンブラーの少なくとも一部のタンブラーの１つ以上の鍵接触部が、個別の錠を操作する鍵の特定のコード部と実際には接触しないという冗長度(redundancy)にある。このような鍵の長手方向のコードパターンを分析しても、どのコード部が関連するロックタンブラーの対応する鍵接触部と実際に接触するのかを判断することは不可能である。
【００１４】
マスターキーシステムではすべての鍵が膨大な数のコード部を有するため、通常、特定の鍵が１つの錠のみ、多数の錠、またはすべての錠を操作するのかを見分けることは不可能である。
【００１５】
本発明のロック・キーシステムは、互いに異なる少なくとも第１および第２の錠と、同じく互いに異なる少なくとも第１および第２の鍵とを含むことが好ましく、第１の鍵は錠の総数よりも少ない錠を操作し、第２の鍵は第１の鍵より多くの錠を操作し、これらの鍵はいずれもそれぞれの錠またはいくつかの錠に完全に挿入して開錠するとき、関連する錠のロックタンブラーの対応する鍵接触部とは接触しない多数のコード部を有する。
【００１６】
さらなる本発明のロック・キーシステム、錠、鍵（またはキーブランク）およびロックタンブラーの好適な特徴について請求項で定義し、かつ以下に詳しく説明する。
【発明を実施するための最良の形態】
【００１７】
以下、本発明の最良の実施態様を示す添付図を参照しながら、本発明についてさらに詳述する。
【００１８】
図１は、鍵１００が挿入されたシリンダー錠２００の略図である。鍵１００は、図２および３により明確に示すように、把持部１０１と、通常平坦なキーブレード１０２とを含む。キーブレード１０２の頂縁部には長手方向の好ましくは波状のコードパターン１０３が設けられており、このコードパターンは、キーブレードが錠に挿入されたとき、または錠から抜かれたとき、錠のロックタンブラーまたはロックピンと接触する多数の窪みまたは切り欠き部１０４を含む。
【００１９】
シリンダー錠２００は、上述の特許明細書から知られている一般的なものであってもよく、ドアなどの施錠対象物の内部に堅固に取り付けられるハウジング２０１を含み、このハウジング２０１は円筒状の孔２０２を含み、その内部には円筒状キープラグ２０３が回転自在に軸支されている。キープラグ２０３は、対応する鍵のキーブレード１０２を受け入れる長手方向に延びたキースロット２０４と、符号２０５で示す（図３）多数のロックタンブラーとを通常含む。一般に、これらのロックタンブラー２０５は対応する、正しくコード化された鍵１００がキースロット２０４に完全に挿入されない限り、キープラグ２０３を係止して、円筒状孔２０２内で回転しないようにする。
【００２０】
図示した実施態様において、ロックタンブラー２０５は、シリンダー錠の技術では周知である、キースロット２０４に沿って直線状に配列した下方ピン２０６と、上方ピン２０７とを含む。下方ピン２０６は、対応する円筒状チャンバー２０８内に取り付けられた円筒状胴体部２０６ａと、キーブレード１０２の波状コードパターン１０３と接触する下方に位置するキー検知部２０６ｂとを含む（図２）。対応する上方タンブラーの列はハウジング２０１の円筒状チャンバー内に取り付けられ、螺旋状のバネ２０９によって下方に付勢されている。正しくコード化されたキーブレード１０２が錠２００に完全に挿入されたときのみ、上方および下方ピン２０７、２０６の互いに接触する端部の表面がハウジング２０１の円筒状孔２０２の内側表面と同一面上に位置し、キープラグ２０３を回転させて開錠する。
【００２１】
当然のことながら、これまで説明してきた構造は例えば上述の特許などから、よく知られている。
【００２２】
本発明では各ロックタンブラーもしくは下方ロックピン２０６のキー検知部２０６ｂ、または少なくともこれらのタンブラーの一部は、以下に詳述するように、少なくとも２つの隣り合う鍵接触部２１０、２１１を具備している。２つの隣り合う鍵接触部を有するこのタイプのタンブラーピンを示す図１２も参照のこと。
【００２３】
図２から明らかなように、対応するキーブレードは、上記一列に並んだロックタンブラーの数と一致する多数のコード部または窪みを、対応する鍵１００の好ましくは波状コードパターン１０３に含む。図１から３が示す実施態様では、このようなコード部または窪み１０４の数は１２箇所であるが、これは６本のロックタンブラーピン２０６の下方端部の鍵接触部２１０、２１１の数と等しい。
【００２４】
図４ａから４ｅが示すように、キーブレードの長手方向のコードパターンは種々の形状を有してもよい。これらの図は、キースロット２０４の開口部から最も離れた、最も内部に位置するロックタンブラーピン２０６と対応するコードパターンの一部だけを示す。コードパターンは、また対応するタンブラーのキー検知部の構造によっても大きく異なる。
【００２５】
図４ａは同じ深さを有し、図１２に示すようなロックタンブラーピンの２つの隣り合う鍵接触部のうちの少なくとも１つと係合するように設計された２つの隣り合う窪み１１０、１１１を示し（図１３ａも参照）、これらのロックタンブラーピンはすべて下方に突出するラグ形状の２つの隣り合う鍵接触部２１０ａ、２１１ａ（または２１０ｂ、２１１ｂもしくは２１０ｃ、２１１ｃもしくは２１０ｄ、２１１ｄもしくは２１０ｅ、２１１ｅ）を有する。これらのラグはキープラグ２０３およびキースロット２０４の長手方向に互いに離れているが、所定の領域に制限されており、隣り合うラグ間の距離は一列に並んだ２つの隣り合うロックタンブラーピンの中央軸間の距離の４分の３未満であるが、約２分の１が好ましい（または可能であれば半分未満とする）。
【００２６】
通常、タンブラーピンの直径は約２．７ｍｍから約３ｍｍであり、隣り合うタンブラーピンの中央軸間の距離が約３．７ｍｍから約４ｍｍ、隣り合うラグ間の距離が約２．０ｍｍ以下、すなわちいずれの２つの隣り合うタンブラーピンであっても、その中央軸間の距離の約半分となっている。
【００２７】
図４ｂでは、３つの隣り合う窪み、すなわち図４ａの窪みに相当する、間隔を空けて配置された２つの窪み１１０および１１１、ならびに中央の窪み１１２が設けられている。中央の窪み１１２は、タンブラーピンの第３の中央ラグ（図示していない）と協働させてもよい。図４ｃが示すコードパターンは、間隔を空けて配置された２つのコード部１１０、１１１およびその間に位置する、中央の深めのコード部１１２’を含む。このようなパターンが、図５ａから５ｃまたは図１２（タンブラーピン２０６Ａ）が示すタイプのタンブラーピンと協働するようにしてもよい。
【００２８】
図４ｄでは（図３０も参照のこと）、コードパターンがキーブレードの上方縁部に並列して形成された２つの平行なコードパターンに分かれている。このようにキーブレードの一方の半部上には、２つの窪み１１０および１１１を有する図４ａが示すコードパターンに相当するコードパターンが設けられており、もう一方の半部上には、コードパターン１１０、１１１の間の深い中央の窪み１１２’を有する図４ｃが示すコードパターンに相当するコードパターンが設けられている。このようなコードパターンまたはむしろ１組の平行なコードパターンを、左右の半部に異なる構造を有するピンタンブラーと協働させてもよい。
【００２９】
鍵の上方縁部に１組の平行なコードパターンを有する鍵全体を図３０に示す。
【００３０】
図４ｅに示すコードパターンは、図４ａに示すコードパターンと類似であるが、キーブレードの上方縁部が大幅に薄くなっている。このコードパターンが、長手方向に離れているラグ２１０ａ、２１１ａなどを有する図１２に示すタイプのタンブラーピンと協働するようにしてもよい。
【００３１】
通常のロック・キーシステムでは、図４ａに示すような、深さの異なる窪み１１０、１１１を有するコードパターンと類似のものを用いることが適当と思われる。その他の類似のコードパターンは、図４ｅ、７および８に示すもの（上方縁部が薄いキーブレードを有する）、ならびに、図４ｂおよび４ｃに示すもの（各タンブラーピンが長手方向に間隔を空けて配置されている３つのコード部を有する）である。
【００３２】
図５ａ、５ｂ、５ｃ、６、および図１２でも示すようなタンブラーピン２０６ａ、２０６Ａは、長手方向に間隔を空けて配置された２つのラグ２１０ａ、２１１ａ、２１０ｂ、２１１ｂ、２１０ｃ、２１１ｃ、２１０ｄ、２１１ｄ、２１１ｅを有し、２つまたは３つのコード部を有する異なるコードパターンと協働する。
【００３３】
ここで、円筒状胴体部２０６ａを有するタンブラーピンの隣り合う鍵接触部を変更するにあたっての種々の可能性について、図９、１０、１１、１２および１３ａから１３ｅを参照しながら説明する。本明細書における「円筒状」とは必ずしも「円形の筒」を意味するわけではなく、胴体部が上下前後の往復運動のために案内されれば円形以外の断面を有する構造を含んでもよい。
【００３４】
図９は、その上方縁部に２つの連続する窪み１１０、１１１を備えたコードパターンを有するキーブレード１０２の端部および３つの異なるタンブラーピン２０６ａ（異なる下方端部を有する）を備えた３つの対応するキープラグのコードパターンに対応する部分を示す。図１０では、キーブレード１０２およびタンブラーピン２０６ａの端部の側面を示し、図１１は、窪み１１０、１１１を有する個別のコードパターンおよびタンブラーピンの鍵接触部２１０、２１１の拡大図である。図１１から明らかなように、鍵接触部またはラグ２１０が対応するコード部または窪み１１０と接触すると、タンブラーピンの胴体部２０６ａは、その他の鍵接触部またはラグ２１１の深さと関係なく、同じ水平レベルに位置決めされるが、これはコード部または窪み１１１が非常に深いことに起因する。
【００３５】
図１２に示すタンブラーピンはすべて同じタイプの円筒状胴体部２０６ａを有しているが、異なる鍵接触部を有する。したがってタンブラーピン２０６Ａは、同じ深さの２つのラグ２１０ａ、２１１ａを有し、これらはタンブラーピンの円筒軸に沿って見るといずれも比較的短い。次のタンブラーピン２０６Ｂは、１つの短い後部ラグ２１１ｂと、非常に長い前部ラグ２１０ｂとを有する。その後に続くタンブラーピン２０６Ｃは、短い後部ラグ２１０ｃと、より長い前部ラグ２１１ｃとを有する。次のタンブラーピン２０６Ｄは、長い後部ラグ２１０ｄと、短い前部ラグ２１１ｄを有し、最後のタンブラーピン２０６Ｅは、非常に長い後部ラグ２１０ｅと、短い前部ラグ２１１ｅとを有する。
【００３６】
図１３ａに示すキーブレード１０２Ａは、同じ深さの２つのコード部または窪み１１０Ａと、１１１Ａとを有し、これらは上記のタンブラーピンの短めのラグ２１０ａ、２１１ａ、２１０ｂ、２１０ｃ、２１１ｄ、２１１ｅと対応しており、比較的浅い。キーブレード１０２Ｂは、１つの浅い後方の窪み１１０Ｂと、深めの前方の窪み１１１Ｂとを有する。次のキーブレード１０２Ｃは、浅い後方の窪み１１０Ｃと、非常に深めの前方の窪み１１１Ｃとを有する。その後に続くキーブレード１０２Ｄは、深い後方の窪み１１０Ｄと、浅い前方の窪み１１１Ｄとを有する。最後のキーブレード１０２Ｅは、非常に深い後方の窪み１１０Ｅと、浅い前方の窪み１１１Ｅとを有する。
【００３７】
各タンブラーピンは、その上端部の表面が円筒状孔２０２（図１）の内側表面と同一平面上のシャーライン（shear line）に位置決めされたときのみ、キープラグを回転させて開錠することができる。これらの位置は、図１３ａ（２０６Ａ）、１３ｂ（２０６Ａ、２０６Ｂ）、１３ｃ（２０６Ａ、２０６Ｂ、２０６Ｃ）、１３ｄ（２０６Ａ、２０６Ｄ）および１３ｅ（２０６Ａ、２０６Ｄ、２０６Ｅ）のキーブレードの斜線によって示される。
【００３８】
種々のタンブラーピン２０６Ａから２０６Ｅと、種々のキーブレード１０２Ａから１０２Ｅとによる２５通りの組み合わせは、これらの組み合わせがマスターキーシステムでどのように使用可能かを例示するものである。従って、２０６Ａ、２０６Ｂおよび２０６Ｃといったタンブラーのみを用いた場合（例えば図１から３が示すような６つのタンブラーを有する列に沿った、６つのタンブラー位置すべてに）、キーブレード１０２Ａを有する特定の鍵であれば、１つまたはある特定のグループの錠（２０６Ａといったタンブラーピンを有するもの）だけを操作して開錠する。１０２Ｂの鍵（いわゆるマスターキー）といった第２の鍵またはある特定のグループの鍵であれば、２０６Ａおよび２０６Ｂといったタンブラーを有する２つの錠またはいくつかのグループの錠を操作し、その一方、キーブレード１０２Ｃといった鍵またはいくつかのグループの鍵であれば、２０６Ａ、２０６Ｂおよび２０６Ｃなどのタンブラーを有する全ての錠または全てのグループの錠をすべて開錠することができる。当然のことながら、最後の鍵１０２Ｃをこのシステムのすべての錠を操作するマスターキーとして用いてもよい。
【００３９】
その他、２０６Ａ、２０６Ｄおよび２０６Ｅといったタンブラーピンのみを用いることも可能である。
【００４０】
このようなロック・キーシステムにおける鍵はすべて、図３が示すようにいずれもキーブレードの上方縁部に沿って１２の窪みを有するといった、非常に類似した形状を有しているため、１つの鍵、または、いくつかの鍵およびそれに対応する錠のみを入手した者が、この鍵が１つの特定の錠のみを操作する鍵なのか、またはこのシステムのいくつかの錠を操作するマスターキーなのかを判断することは事実上不可能である。
【００４１】
以下の説明から明らかであるように、当然のことながら異なるタイプのタンブラーピンを隣り合う鍵接触部に用いることもできるため、実際に可能な組み合わせの数は膨大である。
【００４２】
可能なコードパターンの変形例を図１３ｆから図１３ｈに示す。図１３ｆでは、ロックピン２０６Ａが２つの短いラグ２１０ａと、２１１ａとを有し、図１３ｇでは、ロックピン２０６Ｄが長い後方ラグ２１０ｄと、短い前方ラグ２１１ｄとを有し、図１３ｈでは、ロックピン２０６Ｅが非常に長い後方ラグ２１０ｅと、短い前方ラグ２１１ｅとを有する。これらの図から、キーブレード１０２Ａ、１０２Ｄおよび１０２Ｅのコードパターンは、２つのタンブラー接触部１１０Ａ、１１１Ａ間、１１０Ｄ、１１１Ｄ間および１１０Ｅ、１１１Ｅ間の材料の一部をそれぞれ、例えば各図の点線に沿って切り取っていくらか変更しても、なお関連するロックピンを支持して同じ位置に保持できることは明らかである。このような鍵またはキーブランクの変形例もまた添付の請求項に記載されている。しかしながら図１３ｇおよび１３ｈの変形例において、タンブラーピンは接触部１１１Ｄおよび１１１Ｅでは所望どおり厳密に位置決めされない場合もあることに留意されたい。
【００４３】
したがって、窪み１１０Ａ、１１１Ａ、１１１Ｄおよび１１１Ｅを少なくとも部分的に維持して、タンブラーラグ（たとえば２１０ａ、２１１ａ、２１１ｄ、２１１ｅのいずれか）がこのような窪み内で（１１１Ｅなど）安定して位置決めされるようにすることが好ましい。
【００４４】
さらにタンブラーのキー検知部は、必ずしも円筒状胴体部の端部に位置する必要はなく、例えば図１５から１９および１４ａから１４ｈが示すように、胴体部から横方向に延びる指部にこれを配置してもよい。このようなタンブラーとしては、上述の特許文献１、２および４（いずれもＢｏ  Ｗｉｄeｎによる）に開示されている周知のタイプのタンブラーであってもよい。このタイプの側部タンブラー２１６を図１５に示す。これはキープラグのキースロットの側部の円筒状チャンバー（図示していない）内に位置して、側部タンブラー２１６の胴体部２１７の下方端部から横方向に延びる指部２１９によってキーブレード２１７上の側部コードパターンと係合している間、キースロットと平行に、上下に可動である（場合によっては回転自在でもある）である。側部タンブラー２１６の胴体部２１７は、先に述べた米国特許に開示されているように、所定の位置に移動するとサイドバー（図示していない）に嵌合して開錠することができる凹部２１８を具備している。
【００４５】
また別の実施態様として（図示していない）、横方向の指部を有するまたは有さない側部タンブラーを、例えば上記特許文献３（Ｗｉｄeｎによる）に開示されているように、キーブレードの中実な底部の上方側部の棚に形成された長手方向のコードパターンと協働させてもよい。
【００４６】
上記特許文献４（Ｗｉｄeｎによる）に開示されている態様と同様に、キーブレード１２２は側壁および底壁によって形成された長手方向の側溝１２３を有し、下方側壁はこの溝１２３にアンダーカット部分を形成できるように傾斜している。波状コードパターンは側溝１２３のアンダーカット部を形成する側壁部１２４に形成されている。キーブレード１２２のみを示す図１４ａも参照のこと。指部２１９の位置は略式に符号「＋」で示す。図１４ａから１４ｈから明らかなように、この実施態様のキーブレードは２つの波状コードパターンを有しており、一方はキーブレードの上方縁部上に位置して窪み１１０と、１１１とを有し、もう一方は側壁部１２４上に位置して側部タンブラー２１６の横方向の指部２１９と係合する。
【００４７】
本発明では、横方向の指部２１９は、図１６、１７および１８の右側に示すように、キープラグ（図示していない）の長手方向に配設された２つ以上の鍵接触部を具備している。
【００４８】
上述の実施態様の鍵接触部と同様に、鍵接触部は２つの隣り合うタンブラーの軸間の距離の４分の３未満の距離の所定の領域内に収まっている。
【００４９】
図１６では、指部２１９は下方部または裏面に短い後方ラグ２２０ａと、非常に長い前方ラグ２２１ａとを有し、これら２つのラグは波状コードパターン１２５の対応するコード部または窪み１２６および１２７それぞれに嵌合する。
【００５０】
図１７では、タンブラー２１６が短い後方ラグ２２０ｂと、これより長いラグ２２１ｂ（図１６のラグ２２１ａほど長くはない）とを有する横方向の指部２１９を有する。
【００５１】
図１８では、後方ラグ２２０ｃおよび２２１はいずれも短い。
【００５２】
基本的に、タンブラー２１６と、コードパターン１２５との（コード化の観点での）相関関係は、図１３ａから１３ｅに示す関係と同様である。
【００５３】
図１４ｂ乃至１４ｈから明らかなように、波状側部コードパターン１２５はこれらの図において同一である上方コードパターン１１０、１１１とは別個に変更が可能であり、また上方コードパターンも、当然のことながら、それぞれが異なってもよい（または、錠が側部タンブラーのみを具備する場合は設けなくてもよい）。
【００５４】
図１４ｂでは、側部コードパターンが異なるレベルに３つの窪みを含み、図１４ｃでは１つの非常に深い後方の窪みと、浅い前方の窪みとを含んでおり、図１４ｄのパターン１２５ｄは非常に深い２つの窪みを含み、図１４ｅのコードパターン１２５ｅは中央にも非常に深い窪みを含んだ類似のものであり、図１４ｆのコードパターン１２５ｆは非常に深い後方の窪みと、前方の窪みと、それらの間に比較的深い窪みとを含み、図１４ｇのパターン１２５ｇは浅い後方の窪みと、中央の深い窪みと、非常に深い前方の窪みとを含み、最後の図１４ｈのコードパターン１２５ｈは図１８と同様に浅い後方の窪みと、非常に深い前方の窪みとを含む。
【００５５】
図２０ａ、２０ｂおよび２０ｃは、その両側に側部コードパターン１３５Ａ、１３５Ｂとをそれぞれ有し、さらにキーブレードの上下棚部を切り抜いた上下棚コードパターン１３３Ａ、１３３Ｂを有するキーブレード１３２を示す。これらの側部および棚コードパターンは、それぞれ対をなして互いに同一であるため、キーブレードを上下逆にしてもそれぞれのロックタンブラーと協働して同様に機能させることができる。例えば図１５から１９に示すような、または先述のＷｉｄeｎに付与されたいずれの特許文献もしくはＷｉｎｌｏｃによる特許文献８、特許文献９および特許文献１０に開示されているような、一般的なタイプの側部タンブラー２２６の第１の列は、側部コードパターン１３５Ａ、１３５Ｂのいずれかと協働し、これに対して上方ロックタンブラー２３６の列は棚コードパターン１３３Ａ、１３３Ｂのいずれかと協働する。これらの上方ロックタンブラー２３６は、図２１から判るように、鍵接触部２３７Ａ、２３７Ｂを具備して鍵の長手方向の一方の側部に位置し、２つの鍵接触部２３７Ａ、２３７Ｂは本発明に従って長手方向にやや間隔を空けて配置されている。しかしながら、これまでの実施態様に見られるように、長手方向の距離は隣り合う２つのタンブラー間の距離の４分の３未満でなければならず、この場合はこの距離の約半分となっている。その結果、一列に並んだタンブラーの種々の鍵接触部２３７Ａ、２３７Ｂが長手方向に均等に配設される（図２１参照）。
【特許文献８】国際公開第２００３／０６２５７０号パンフレット
【特許文献９】国際公開第２００５／０２８７８９号パンフレット
【特許文献１０】スウェーデン特許第０５００６２４−２号明細書
【００５６】
図２２ａ、２２ｂ、２２ｃおよび２３はそれぞれ、対をなす同一のコードパターン１４３Ａ、１４３Ｂと、１４４Ａ、１４４Ｂとを有することにより、上下を逆にしてもなお上方タンブラー２４６、２４７と協働することができるキーブレード１４２を含む、さらなる実施態様を示す。タンブラーは長手方向に一列に配列されており、ここでは一方の上方タンブラー２４６（または上方タンブラーの第１の組）が長手方向右側に一対の隣り合う鍵接触部２４６Ａ、２４６Ｂを有し、これに対してもう一方の上方タンブラー２４７（または第２の１組の上方タンブラー）は長手方向左側に一対の隣り合う鍵接触部２４７Ａ、２４７Ｂを具備する。図２３はキーブレード１４２およびタンブラー２４６、２４７の対応する側面図である。
【００５７】
図２４ａ、２４ｂ、２４ｃおよび２５が示す実施態様は、一列に並んだロックタンブラー２５６を含むが、これらはそれぞれ、例えば回転を制限するための対応する空洞部（図示していない）に収容されたフィン２５７（図２４ｂ参照）に案内されて回転動作が制限される。タンブラー２５６は横方向ラグ３２１、３２２などを有するサイドバー３００と協働し、これらは対応する各タンブラー２５６の胴体部に沿った溝２５８に嵌合する。
【００５８】
対応するキーブレード１５２は、（図２５）その上方縁部にコードパターン１５３を有し、ここではコード部が各タンブラー２５６に対応して斜めに配向されているので（キーブレード１５２と直角の平面に対して１５度を超えないことが好ましい）、鍵接触部２５６Ａ、２５６Ｂを備えた対応するタンブラー２５６が特定の回転位置に入ることによって、サイドバーが錠を開錠する。
【００５９】
また図２６ａ、２６ｂ、２６ｃ、２７および２８が示すさらなる実施態様では、長手方向の一列に並んだタンブラー２６６は、チャンバー（図示していない）内に案内されて、キーブレード１６２に対して横方向に、かつ直角に動く。各タンブラー２６６は２つの隣り合う鍵接触部２６６Ａ、２６６Ｂを有し、これらはそれぞれタンブラー２６６の端面からキーブレードに向かって延びている円錐状ラグとして形成される。
【００６０】
図２７および２８が示すように、これらの円錐状ラグを、キーブレード１６２の対応するラグの場所にある凹部と共にコードパターンを形成する１つまたはそれ以上（タンブラーピン最端部のラグの位置による）の長手方向の列に沿って配置させてもよい。
【００６１】
これらの凹部は通常異なる深さを有し、１つまたはそれ以上の長手方向の列に沿って位置することによって、対応するタンブラーの円錐状のラグと位置を合わせられるようになっている。上述の実施態様と同様に、ラグ２６６Ａまたは２６６Ｂのうちの一部は対応する凹部１６３、１６４の内部に完全に入り込まなくてもよいため、コード化の原理はその他の実施態様と同じである。また、この実施態様でも同様にキーブレードが左右対称なので、上下を逆にしても錠に挿入することができる。
【００６２】
上述のすべての実施態様において、鍵接触部は長手方向に配設されており、関連する鍵の長手方向のコードパターンと滑合できるように、滑らかな縁部を有する。このような滑らかな縁部は丸い形状を有する接触部、または接触部の最下部に隣接させて面取りした滑走部を作製することによって達成される。これらの接触部は、キーブレードをキースロットに挿入したり抜いたりするときに長手方向のコードパターンと滑りながら係合するので、キーブレードを完全に挿入したときの位置ではこれと接触しない接触部にとっても、滑らかな縁部を作製することは重要である。
【００６３】
上述したように、タンブラーのうちの数個または一部だけに２つまたはそれ以上の鍵接触部を設けることも可能である。
【００６４】
また、隣り合う鍵接触部はキープラグの長手方向に、場合によっては横方向にも配設される。
【００６５】
ロックタンブラーを例えば図９から１９ならびに図２４ａ、２４ｂ、２４ｃおよび２５に示すように案内して、それが回転するのを制限してもよい。このような回転動作の制限を例えば図２４ａ、２４ｂおよび２４ｃが示すガイドフィンまたはその他の方法によって行ってもよい。特に、キーブレード上の長手方向に平行のコードパターンがある場合、対応するロックタンブラー２３６、指部２０ａ、２０ｂ、２０ｃ、２１および２４６、２４７、指部２２ａ、２２ｂ、２２ｃ、２３および２６６、指部２６ａ、２６ｂ、２６ｃ、２７、２８および２７６、指部２９および２８６、２８７、ならびに指部３０を回転させずに案内し、それぞれの鍵接触部と、長手方向のコードパターンとが必ず適切に協働するようにしなければならない。
【００６６】
また当然のことながら、長手方向のコード部（図示していない）をキーブレードの両側に設けて（例えば図２２ａ、２２ｂ、２２ｃおよび２３が示すように）、キースロットの両側に配置された側部ロックタンブラー（図示していない）の対応する列と協働させて、キーブレードを上下逆にできるようにすることも可能である。その際、横方向の指部は胴体部の端部ではなく、むしろほぼ中央に位置しなければならない。
【００６７】
上下逆にすることが可能な、左右対称のキーブレードの別の例を図２９に示す。上方ピンの列２７６は（２本のピンのみを示す）、キーブレード１７２の上方縁部と協働し、これに対して側部タンブラーの２本の列２８６、２９６はキースロット（図示していない）の両側に配列されるので、対応する側部コードパターン（特に示さない）と協働することができる。上方ピンはそれぞれ、先述の実施態様と同様に後方のラグ２６Ａと、前方のラグ２７６Ｂとを有し、キーブレード１７２の頂上縁部のコードパターンは上方ピン２７６と協働するために切り取られている。機能的には図１２および図１３ａから１３ｅと同じである。
【００６８】
上述した種々のコードパターンは、種々の方法で相互に組み合わせることができる。最後の例を図３０に示すが、ここでは、キーブレード１８２が図４ｄと類似の上方縁部の２つの平行な波状コードパターン１８３、１８４と、側部コードパターン１８５とを有する鍵を図示している。
【００６９】
上方コードパターン１８３、１８４は、図２２ａ、２２ｂ、２２ｃおよび２３が示すピン２４６、２４７とやや類似の上方タンブラーピン２８６、２８７と協働し、これに対して側部コードパターン１８５は、側部タンブラー（図示していない）と協働する。
【００７０】
当然のことながら、この実施態様では、キーブレード１８２は図のように配向されたときのみ機能し、上下逆にすることはできない。
【００７１】
または、側部コードパターン１８５を有さずに、上方コードパターン１８３、１８４のみを有することも可能である。
【００７２】
長手方向のコードパターンは波状が好ましいが、これらが長手方向に延び、かつ種々のレベルまたは深さを有する限り、その他の形状に構成してもよい。
【００７３】
本発明の鍵またはキーブランクは、対応するロックタンブラーの数を一般に超える多数のコード部を有する長手方向のコードパターンを含み、キーブレードを錠に完全に挿入した際のタンブラーの鍵接触部それぞれに対するコード部は、これらが実際に接触してもしなくても、１つであることを特徴とする。しかしながら、タンブラーの隣り合う接触部のうちの少なくとも１つ（必ずしもすべてではないが）は、キーブレードの長手方向のコードパターンの対応するコード部と接触しなければならない。
【００７４】
通常、コード部の数はタンブラーの鍵接触部の数と等しい。しかしながら特定の場合、例えばタンブラーの長手方向の鍵接触部がキーブレードの極めて浅いコードパターンと協働するキーブレードの最頂部などでは、これらの数が若干異なっていてもよい。また鍵のコード部がタンブラーの鍵接触部の総数を超えてもよい。
【００７５】
キーブレードの長手方向のコードパターンは、図１から３に示すような上方縁部、図２９に示すような両側部、図１５から１８に示すような長手方向の溝の側壁、または、上述の特許文献３（Ｗｉｄeｎによる）に開示されている、もしくは図２０ａ、２０ｂ、２０ｃ、２１および図２２ａ、２２ｂ、２２ｃ、２３に示すようなキーブレードの厚めの底部が形成する１つ以上の棚といったキーブレードのその他の部分に配置してもよい。
【００７６】
コードパターンを有さない鍵、または少なくとも１つのコード部がすでに作製されている鍵をキーブランクとしてもよいが、後者の鍵の場合はさらに少なくとも１つのコード部をキーブランクにカットすれば完成品の鍵となる。したがって、「鍵」に関する添付の請求項は対応するキーブランクにも及ぶものであるが、両者が唯一異なる点は、キーブランクには最終的に機械でコードパターンが作製されることである。
【００７７】
例示した実施態様において、長手方向のコードパターンのコード部は通常、３つの異なるレベルまたは深さのうちの１つに位置する。当然のことながら、このようなレベルまたは深さの数は、例えば１つもしくは２つにしたり、または垂直レベルや深さの数を増やしたり、というように変更も可能である。
【００７８】
さらにキーブレードの断面図は当業者が変更することも可能で、例えば図４ｅに示すように、キーブレードの側部に種々の長手方向の直線溝および／または薄くした上方部分を設けてもよい。図７および８に示すように鍵の断面図は、キーブレード１０２’の底部１０２ｂ’から全体的に横方向にオフセットしている比較的薄い縁部１０２’ａ（図７）、または、キーブレード１０２’の底部１０２ｂ’’の一方の側面から、もう一方の側面へ斜めに延びるように配向された縁部１０２’’ａ（図８）を含んでいてもよい。このような鍵（およびキーブランク）の実施態様が供するのは細長い、実質的に利点を有するロック・キー構成で、特にタンブラーピンの側面の最外側面で、オフセットしている鍵のコード部と接触するようになったタンブラーピンを必要とする。これらの実施態様では従来の円錐形またはのみの歯状のタンブラーピンの操作ができないため、これらの鍵の断面は新しい型のもので、添付の鍵およびキーブランクそれぞれの請求項において保護されている。
【００７９】
タンブラーピンは、図１から３に示すように上方ピン２０７およびバネ２０９で付勢させる必要はないが、別の方法でハウジング円筒状孔内におけるキープラグの回転を係止または促進できるように設計してもよい。また、マスターピンまたはウエーハを上方ピンと下方ピンの頂部（特に図示していない）との間に軸方向に位置してもよい。
【図面の簡単な説明】
【００８０】
【図１】より明確にするために一部を切り欠いて示した、本発明のシステムの錠およびそれに挿入された鍵の略式斜視図である。
【図２】図１の錠および鍵のキープラグ一部断面を示す側面図である。
【図３】ロックタンブラーを取り出してキープラグの上方で別々に示した、図１および図２の鍵およびキープラグの斜視図である。
【図４ａ】本発明のコード部を有するキーブレードの端部の種々の実施態様の斜視図である。
【図４ｂ】本発明のコード部を有するキーブレードの端部の種々の実施態様の斜視図である。
【図４ｃ】本発明のコード部を有するキーブレードの端部の種々の実施態様の斜視図である。
【図４ｄ】本発明のコード部を有するキーブレードの端部の種々の実施態様の斜視図である。
【図４ｅ】本発明のコード部を有するキーブレードの端部の種々の実施態様の斜視図である。
【図５ａ】本発明のキーブレードの端部および２つの鍵接触部を有する関連するロックタンブラーの側面図である。
【図５ｂ】本発明のキーブレードの端部および２つの鍵接触部を有する関連するロックタンブラーの側面図である。
【図５ｃ】本発明のキーブレードの端部および２つの鍵接触部を有する関連するロックタンブラーの側面図である。
【図６】図５ａから５ｃのキーブレードおよび対応するロックタンブラーの端面図である。
【図７】キーブレードの上方縁部が薄くなっており、かつ、キーブレードの底部に対してずれている変形例の側面図、断面図および斜視図である。
【図８】キーブレードの上方縁部が薄くなっており、かつ、キーブレードの底部に対してずれている変形例の側面図、断面図および斜視図である。
【図９】キーブレードの端部およびキーブレードのコード部に嵌合するように変形させた３種類のロックタンブラーを有する、３つのキープラグの対応する部分の略斜視図である。
【図１０】図９のキーブレードおよびキープラグの側面図である。
【図１１】図９および図１０のキーブレードのコード部および３つの変形タンブラーの部分拡大図である。
【図１２】５つの異なるロックタンブラーのそれぞれの側面図である。
【図１３ａ】図１２の５つの異なるロックタンブラーと、これと係合する５つの異なるキーブレードの（端部の）側面図である。
【図１３ｂ】図１２の５つの異なるロックタンブラーと、これと係合する５つの異なるキーブレードの（端部の）側面図である。
【図１３ｃ】図１２の５つの異なるロックタンブラーと、これと係合する５つの異なるキーブレードの（端部の）側面図である。
【図１３ｄ】図１２の５つの異なるロックタンブラーと、これと係合する５つの異なるキーブレードの（端部の）側面図である。
【図１３ｅ】図１２の５つの異なるロックタンブラーと、これと係合する５つの異なるキーブレードの（端部の）側面図である。
【図１３ｆ】図１２の５つの異なるロックタンブラーと、これに係合する５つの異なるキーブレードの（端部の）側面図である。
【図１３ｇ】図１２の５つの異なるロックタンブラーと、これに係合する５つの異なるキーブレードの（端部の）側面図である。
【図１３ｈ】図１２の５つの異なるロックタンブラーと、これに係合する５つの異なるキーブレードの（端部の）側面図である。
【図１４ａ】一方がキーブレードの上方縁部、もう一方が側部に位置する２つの別個のコードパターンを具備し、側部のコードパターンが種々の形状に変形された、キーブレードの端部の側面図である。
【図１４ｂ】一方がキーブレードの上方縁部、もう一方が側部に位置する２つの別個のコードパターンを具備し、側部のコードパターンが種々の形状に変形された、キーブレードの端部の側面図である。
【図１４ｃ】一方がキーブレードの上方縁部、もう一方が側部に位置する２つの別個のコードパターンを具備し、側部のコードパターンが種々の形状に変形された、キーブレードの端部の側面図である。
【図１４ｄ】一方がキーブレードの上方縁部、もう一方が側部に位置する２つの別個のコードパターンを具備し、側部のコードパターンが種々の形状に変形された、キーブレードの端部の側面図である。
【図１４ｅ】一方がキーブレードの上方縁部、もう一方が側部に位置する２つの別個のコードパターンを具備し、側部のコードパターンが種々の形状に変形された、キーブレードの端部の側面図である。
【図１４ｆ】一方がキーブレードの上方縁部、もう一方が側部に位置する２つの別個のコードパターンを具備し、側部のコードパターンが種々の形状に変形された、キーブレードの端部の側面図である。
【図１４ｇ】一方がキーブレードの上方縁部、もう一方が側部に位置する２つの別個のコードパターンを具備し、側部のコードパターンが種々の形状に変形された、キーブレードの端部の側面図である。
【図１４ｈ】一方がキーブレードの上方縁部、もう一方が側部に位置する２つの別個のコードパターンを具備し、側部のコードパターンが種々の形状に変形された、キーブレードの端部の側面図である。
【図１５】キーブレードの側部のコードパターンと協働する、横方向に延びる指部を有するロックタンブラーの略端面図および側面図である。
【図１６】キーブレードの側部のコードパターンと協働する、横方向に延びる指部を有するロックタンブラーの略端面図である。
【図１７】キーブレードの側部のコードパターンと協働する、横方向に延びる指部を有するロックタンブラーの略端面図である。
【図１８】キーブレードの側部のコードパターンと協働する、横方向に延びる指部を有するロックタンブラーの略端面図である。
【図１９】図１５から１８のロックタンブラーおよびキーブレードの上面図である。
【図２０ａ】上下を逆にすることができ、かつ側部の一列のタンブラーおよび上方の別の一列のタンブラーと協働するキーブレードのさらなる実施態様の斜視図であり、この図では明確に示すためにタンブラーをキーブレードから離して示している。
【図２０ｂ】上下を逆にすることができ、かつ側部の一列のタンブラーおよび上方の別の一列のタンブラーと協働するキーブレードのさらなる実施態様の斜視図であり、この図では明確に示すためにタンブラーをキーブレードから離して示している。
【図２０ｃ】上下を逆にすることができ、かつ側部の一列のタンブラーおよび上方の別の一列のタンブラーと協働するキーブレードのさらなる実施態様の断面図であり、この図では明確に示すためにタンブラーをキーブレードから離して示している。
【図２１】図２０ａ、２０ｂおよび２０ｃのキーブレードおよび２つの上方のタンブラーの側面図である。
【図２２ａ】上下を逆にすることができ、かつ左右交互に配された鍵接触部を有する上方の一列のタンブラーと協働するキーブレードを含むさらなる実施態様の斜視図である。
【図２２ｂ】上下を逆にすることができ、かつ左右交互に配された鍵接触部を有する上方の一列のタンブラーと協働するキーブレードを含むさらなる実施態様の斜視図である。
【図２２ｃ】上下を逆にすることができ、かつ左右交互に配された鍵接触部を有する上方の一列のタンブラーと協働するキーブレードを含むさらなる実施態様の斜視図である。
【図２３】図２２ａ、２２ｂおよび２２ｃのキーブレードおよび２つの上方タンブラーの側面図である。
【図２４ａ】回転動作を制限するために案内され、かつサイドバーと協働する、キーブレードおよびタンブラーピン部分の斜視図である。
【図２４ｂ】回転動作を制限するために案内され、かつサイドバーと協働する、キーブレードおよびタンブラーピン部分の斜視図である。
【図２４ｃ】回転動作を制限するために案内され、かつサイドバーと協働する、キーブレードおよびタンブラーピン部分の側面図である。
【図２５】図２４ａ、２４ｂおよび２４ｃに示したタイプのロックタンブラーと協働するキーブレードの斜視図である。
【図２６ａ】キーブレードに対して直角に移動可能なタンブラーの列を有するさらなる実施態様の斜視図である。
【図２６ｂ】キーブレードに対して直角に移動可能なタンブラーの列を有するさらなる実施態様の斜視図である。
【図２６ｃ】キーブレードに対して直角に移動可能なタンブラーの列を有するさらなる実施態様の上面図である。
【図２７】図２６ａおよび２６ｂの２つのタンブラーの底面図および側面図である。
【図２８】図２６ａ、２６ｂおよび２６ｃのキーブレードの立面図および上面図である。
【図２９】上方タンブラーおよびキーブレードの両側で側部タンブラーと協働する、キーブレードのさらなる実施態様の側面図および斜視図である。
【図３０】本発明の鍵および鍵の上方縁部コードパターンと係合する関連する上方ピンのさらなる実施態様の斜視図である。
【手続補正３】
【補正対象書類名】図面
【補正対象項目名】図７
【補正方法】変更
【補正の内容】
【図７】
2009503304.tif 000061
【手続補正４】
【補正対象書類名】図面
【補正対象項目名】図８
【補正方法】変更
【補正の内容】
【図８】
2009503304.tif 000062
【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
円筒状の孔（２０２）を有するハウジング（２００）と、
この円筒状孔内で回転自在に軸支される円筒状キープラグ（２０３）とを含み、
この円筒状キープラグが、長手方向に延びたキースロット（２０４）と、この円筒状孔内でキープラグが回転するのを係止するキープラグ軸に沿って一列に並んだ複数のロックタンブラー（２０５）とを有し、
少なくともこれら複数のロックタンブラーの一部が、胴体部（２０６ａ）と、関連する鍵と係合する一体型のキー検知部分（２０６ｂ）とを含み、この胴体部が対応するチャンバー（２０８）内に取り付けられて、そのチャンバー内でその軸と平行なタンブラー軸に沿って昇降する種類の複数の錠と、
前記錠のキープラグのキースロットに挿入可能な長手方向に延びたキーブレード（１０２）を含み、
このキーブレードが、少なくとも１つの長手方向に延びたコードパターン（１０３）を有し、このコードパターンは、前記一体型になったキー検知部と係合するための種々の深さの複数のコード部（１０４）を含み、かつ、前記キーブレードが前記キースロット内にに挿入されたとき、キー検知部が前記長手方向のコードパターンをたどるようにする種類の複数の鍵と、からなるロック・キーシステムにおいて、
前記一列に配されたタンブラーの少なくとも前記一部のロックタンブラーそれぞれの一体型キー検知部（２０６ｂ）が、突出したラグ形状の少なくとも２つの隣り合う鍵接触部（２１０ａ、２１１ａ）を含み、これら鍵接触部は、それぞれ前記キープラグ軸に沿って長手方向に互いに離れ、かつ、互いにこの一列に並んだロックタンブラーの２つの隣り合うロックタンブラーの中央軸間の距離の４分の３を超えない距離をおいて、所定の領域内に配置され、これら鍵接触部はそれぞれ、鍵が錠のキースロットに挿入されたとき、鍵の長手方向のコードパターンと摺動係合することができる滑らかな縁部を具備し、
前記鍵の長手方向のコードパターンにおけるコード部の数は、長手方向に間隔を空けて配置されている前記一列に並んだロックタンブラーの鍵接触部の数と一致しており、
前記一部のロックタンブラーそれぞれの鍵接触部の必ずしも全てではなく少なくとも１つの鍵接触部が、鍵をキースロットに完全に挿入したとき、これと対応するコード部と実際に係合する、ことを特徴とするロック・キーシステム。
【請求項２】
互いに異なる少なくとも第１の錠および第２の錠と、同様に互いに異なる少なくとも第１の鍵（１０２Ａ）および第２の鍵（１０２Ｂ）とを含み、前記第１の鍵は錠の総数未満の錠を操作し、前記第２の鍵は第１の鍵よりも多くの錠を操作し、前記第１および第２の鍵はいずれも、それぞれの錠またはいくつかの錠を操作するために完全に挿入しても、関連する錠のロックタンブラーの対応する鍵接触部と接触しない多数のコード部を有することを特徴とする請求項１に記載のロック・キーシステム。
【請求項３】
円筒状の孔（２０２）を有するハウジング（２００）と、
この円筒状孔内で回転自在に軸支される円筒状キープラグ（２０３）とを含み、
この円筒状キープラグが、長手方向に延びたキースロット（２０４）と、この円筒状孔内でキープラグが回転するのを係止するキープラグ軸に沿って一列に並んだ複数のロックタンブラー（２０５）とを有し、
少なくともこれら複数のロックタンブラーの一部が、胴体部（２０６ａ）と、錠に対応する鍵と係合する一体型のキー検知部分（２０６ｂ）とを含み、この胴体部が対応するチャンバー（２０８）内に取り付けられて、そのチャンバー内でその軸と平行なタンブラー軸に沿って昇降するシリンダー錠において、
前記一列に配されたタンブラーの少なくとも前記一部のロックタンブラーそれぞれの一体型キー検知部（２０６ｂ）が、少なくとも２つの隣り合う突出したラグ形状の鍵接触部（２１０ａ、２１１ａ）を含み、これら鍵接触部は、それぞれ前記キープラグ軸に沿って長手方向に互いに離れ、かつ、互いにこの一列に並んだロックタンブラーの２つの隣り合うロックタンブラーの中央軸間の距離の４分の３を超えない距離をおいて、所定の領域内に配置され、これら鍵接触部はそれぞれ、鍵が錠のキースロットに挿入されたとき、鍵の長手方向のコードパターンと摺動係合することができるようになっており、
これらの隣接する鍵接触部の必ずしも全てではなく少なくとも１つの鍵接触部が、鍵をキースロットに完全に挿入したとき、前記鍵の前記長手方向に延びた対応するコード部と係合するようになっていることを特徴とするシリンダー錠。
【請求項４】
前記突出したラグ（２１０ａ、２１１ａ）が前記キープラグ軸に対して横方向に互いに離れていることを特徴とする請求項３に記載のシリンダー錠。
【請求項５】
各ロックタンブラー（２５６）の前記胴体部が、その回転動作が制限されるように案内されていることを特徴とする請求項３に記載のシリンダー錠。
【請求項６】
前記胴体部が回転しないように案内されていることを特徴とする請求項５に記載のシリンダー錠。
【請求項７】
前記突出したラグ（２２０ａ、２２１ａ）を備えた前記一体型キー検知部が、前記胴体部（２１７）から横に延びる指部（２１９）に配置されていることを特徴とする請求項３に記載のシリンダー錠。
【請求項８】
前記胴体部（２１７）が、その回転動作が制限されるように案内され、前記突出したラグ（２２０ａ、２２１ａ）が、関連する鍵（１２２）の少なくとも１つの側部に配された長手方向に延びたコードパターン（１２５）と摺動係合できるようになっていることを特徴とする請求項７に記載のシリンダー錠。
【請求項９】
前記胴体部（２１７）が回転しないように案内されていることを特徴とする請求項８に記載のシリンダー錠。
【請求項１０】
前記突出したラグ（２２０ａ、２１１ａ；２６６Ａ、２６６Ｂ）が前記ロックタンブラー（２１６；２６６）端部から延びていることを特徴とする請求項３から９いずれかに記載のシリンダー錠。
【請求項１１】
前記突出したラグ（２６６Ａ、２６６Ｂ）を備えた前記ロックタンブラー（２６６）が、前記キースロットの中央面に対して直角に可動となるように配向されていることを特徴とする請求項３に記載のシリンダー錠。
【請求項１２】
前記突出したラグ（２６６Ａ、２６６Ｂ）が前記キースロットに対して異なるレベルに位置することを特徴とする請求項１１に記載のシリンダー錠。
【請求項１３】
前記ラグ（２１０ａ、２１１ａ；２６６Ａ、２６６Ｂ）が前記タンブラー軸と平行な方向に延びていることを特徴とする請求項１０に記載のシリンダー錠。
【請求項１４】
前記隣り合う鍵接触部が、前記キースロットの一方の長手方向の側部に位置する、少なくとも２つの突出したラグ（２４６Ａ、２４６Ｂ、２４７Ａ、２４７Ｂ）を含むことを特徴とする請求項３に記載のシリンダー錠。
【請求項１５】
前記隣り合う鍵接触部が、前記キースロットの反対側の長手方向の側部に位置する、少なくとも２つの突出したラグ（２４７Ａ、２４７Ｂ）を含むことを特徴とする請求項１４に記載のシリンダー錠。
【請求項１６】
前記隣り合う鍵接触部が、前記キースロットの長手方向の各側部に、少なくとも２つの突出したラグ（２４６Ａ、２４６Ｂ、２４７Ａ、２４７Ｂ）を含むことを特徴とする請求項１５に記載のシリンダー錠。
【請求項１７】
円筒状孔内で回転自在に軸支されているキープラグと、プラグの軸に沿って一列に配列された多数のロックタンブラーとを有するシリンダー錠内に配置され、胴体部と、関連する鍵の長手方向のコードパターンと係合するようになっている一体型キー検知部とを含むロックタンブラーにおいて、
前記ロックタンブラーの前記一体型キー検知部（２０６ｂ）に少なくとも２つの隣り合う突出したラグ形状の鍵接触部（２１０ａ、２１１ａ）が設けられており、これら鍵接触部は、それぞれ前記キープラグ軸に沿って長手方向に互いに離れ、かつ、互いにこの一列に並んだロックタンブラーの２つの隣り合うロックタンブラーの中央軸間の距離の４分の３を超えない距離をおいて、所定の領域内に配置され、
これら鍵接触部にはそれぞれ、前記関連する鍵の長手方向のコードパターンと摺動係合することができる滑らかな縁部が設けられており、
これらの隣接する鍵接触部の必ずしも全てではなく少なくとも１つの鍵接触部が、鍵をキースロットに完全に挿入したとき、前記鍵の前記長手方向に延びた対応するコード部と係合するようになっていることを特徴とするロックタンブラー（２０６）。
【請求項１８】
長手方向に延びたキーブレード（１０２）を含み、このキーブレードは、関連する錠の回転自在なキープラグのキースロットに挿入可能であり、前記錠は、前記キープラグの軸に沿って一列に配された複数のロックタンブラーを有し、
前記キーブレードが、前記ロックタンブラーの少なくとも一部のキー検知部と係合する少なくとも１つの長手方向に延びたコードパターン（１０３）を有する、鍵（１００）において、
前記長手方向のコードパターンが、前記一部の前記ロックタンブラーの各キー検知部に設けられ、かつ、前記キーブレードが前記キースロットに挿入されたとき、前記キープラグ軸に沿って長手方向に互い離れている少なくとも２つの隣り合う鍵接触部のうちの対応する１つと、係合するための深さの異なる多数のコード部（１０４）を含み、
前記コード部の数が、前記一部のロックタンブラーの長手方向に間隔を空けて配置された鍵接触部の数と一致し、
これらの隣接する鍵接触部の必ずしも全てではなく少なくとも１つの鍵接触部が、鍵をキースロットに完全に挿入したとき、前記キーブレードの前記長手方向に延びたコードパターンの対応するコード部と接触するように前記長手方向のコードパターンのコード部が形成されていることを特徴とする鍵。
【請求項１９】
長手方向のコードパターン（１０３）が、前記キーブレード（１０２）の少なくとも１つの長手方向に延びた縁部に配置されていることを特徴とする請求項１８に記載の鍵。
【請求項２０】
長手方向のコードパターンが、前記キーブレードの前記長手方向の縁部に、互いに平行に、かつ隣接して延びた２つの離隔した部分（１１０、１１１、１１２’；１８３、１８４）を含むことを特徴とする請求項１９に記載の鍵。
【請求項２１】
長手方向のコードパターン（１２５；１６３、１６４；１８５）が前記キーブレード（１２２；１６２；１８２）の少なくとも一方の側部に配置されていることを特徴とする請求項１８に記載の鍵。
【請求項２２】
長手方向のコードパターン（１３３Ａ、１３３Ｂ、１３５Ａ、１３５Ｂ）が前記側部の棚面上に配置されていることを特徴とする請求項２１に記載の鍵。
【請求項２３】
波状コードパターン（１２５；１８５）が前記側部の長手方向に延びた溝に配置されていることを特徴とする請求項２１に記載の鍵。
【請求項２４】
長手方向のコードパターン（１０３）が、隣り合うタンブラー接触部の群（１１０、１１１、１１２）となるように配設されているタンブラーとの接触部を含み、このような各群が少なくとも２つのタンブラー接触部を含み、前記隣り合うタンブラー接触部の必ずしも全てではなく、少なくとも１つが、鍵を前記キースロットに完全に挿入したとき関連するタンブラーの対応する鍵接触部と実際に係合できるように位置することを特徴とする請求項１８に記載の鍵。
【請求項２５】
前記隣り合うタンブラー接触部がそれぞれ滑らかに形成された窪み（１１０、１１１）を有することを特徴とする請求項２４に記載の鍵。
【請求項２６】
前記滑らかに形成された窪みが所定の数の垂直レベルまたは深さに位置しており、その垂直面が鍵の長手方向に対して直角に形成されていることを特徴とする請求項２５に記載の鍵。
【請求項２７】
前記隣り合うタンブラー接触部（１１０、１１１、１１２）が、中央部（１１２）および２つの隣接する部分（１１０、１１１）をこの中央部の長手方向の両側に含むことを特徴とする請求項２４に記載の鍵。
【請求項２８】
前記中央部が窪み（１１２）で構成されていることを特徴とする請求項２７に記載の鍵。
【請求項２９】
前記隣接部（１１０、１１１）が同じ垂直レベルまたは深さに位置し、その垂直面は鍵の長手方向に対して直角に配向されていることを特徴とする請求項２７または２８に記載の鍵。
【請求項３０】
前記長手方向の縁部（１０２’ａ；１０２’’ａ）がキーブレード（１０２’；１０２’’）の底部（１０２’ｂ；１０２’’ｂ）より薄くなっていることを特徴とする請求項１９に記載の鍵。
【請求項３１】
前記薄くなっている長手方向の縁部（１０２’ａ）が前記底部（１０２’ｂ）に対して横方向に完全にオフセットしていることを特徴とする請求項３０に記載の鍵。
【請求項３２】
前記薄くなっている長手方向の縁部（１０２’’ａ）が、前記底部（１０２’’ｂ）から斜め上方に延びるように配向されていることを特徴とする請求項３０に記載の鍵。
【請求項３３】
キーブレード（１３２；１４２）が、１８０度回転させた２つの位置においていずれの位置においても錠に挿入できるように、左右対称になっていることを特徴とする請求項１８に記載の鍵。
【請求項３４】
キーブレード（１５２）の前記長手方向縁部の前記コードパターンが、キーブレード（１５２）と垂直に配向された平面に対して異なる角度に配向された切り欠きを含むことを特徴とする請求項１９に記載の鍵。
【請求項３５】
請求項１８から３４いずれかに記載のキーブレード（１０２’；１０２’’）を含み、キーブレードの長手方向に延びた部分（１０２ａ’；１０２ａ’’）が、請求項１から３４のいずれかに記載されているようなコードパターンを形成できるような形状を有することを特徴とするキーブランク。
【請求項３６】
キーブレードが、キーブレード（１０２’；１０２’’）の底部に対してオフセットになっている、または斜めに延びている長手方向の縁部を含むことを特徴とする請求項３５に記載のキーブランク。
【国際調査報告】
2009503304.tif 000063
2009503304.tif 000064
2009503304.tif 000065
2009503304.tif 000066
2009503304.tif 000067